(57)【要約】【課題】不揮発性の表示パネルの表示の書き換えにおいて、消費電力を効果的に削減することができる表示パネルの制御装置を提供する。【解決手段】ゲート線及びソース線へパルス電圧を印加することにより画素電極に電圧を印加して画像の書き換えが可能な不揮発性の表示パネルの書き換え制御を行う制御装置であって、複数のゲート線４０と接続され、その接続されたゲート線４０へパルス電圧を発信する複数の個別ゲートパルス印加手段５０と、個別ゲートパルス印加手段５０の電源を個々にオンオフする複数の個別電源スイッチ５２と、表示の書き換えを行なう画素（以下、「書き換え画素」という）に対応するゲート線４０と接続された個別ゲートパルス印加手段５０の個別電源スイッチ５２をオンにし、書き換え画素に対応するゲート線４０と接続されていない個別ゲートパルス印加手段５０の個別電源スイッチ５２をオフにする個別電源スイッチ制御手段５４とを備えた表示パネルの制御装置を提供する。【選択図】図５
2008197491.tif 000002
【特許請求の範囲】
【請求項１】
ゲート線及びソース線へパルス電圧を印加することにより画素電極に電圧を印加して画像の書き換えが可能な不揮発性の表示パネルの書き換え制御を行う制御装置であって、
複数の前記ゲート線と接続され、その接続されたゲート線へパルス電圧を発信する複数の個別ゲートパルス印加手段と、
前記個別ゲートパルス印加手段の電源を個々にオンオフする複数の個別電源スイッチと、
表示の書き換えを行なう画素（以下、「書き換え画素」という）に対応するゲート線と接続された前記個別ゲートパルス印加手段の前記個別電源スイッチをオンにし、前記書き換え画素に対応するゲート線と接続されていない前記個別ゲートパルス印加手段の前記個別電源スイッチをオフにする個別電源スイッチ制御手段とを備えたことを特徴とする表示パネルの制御装置。
【請求項２】
前記個別電源スイッチ制御手段は、表示の書き換えを行なう画素に対応するゲート線と接続されていない全ての前記個別ゲートパルス印加手段の前記個別電源スイッチをオフすることを特徴とする請求項１に記載の表示パネルの制御装置。
【請求項３】
前記個別電源スイッチ制御手段は、最も端に位置する２つの前記書き換え画素（以下「第１画素」及び「第２画素」という）のアドレスの間に存在するアドレスの前記ゲート線と接続された前記個別ゲートパルス印加手段の前記個別電源スイッチをオンにし、それ以外の個別電源スイッチをオフにすることを特徴とする請求項１または２に記載の表示パネルの制御装置。
【請求項４】
前記個別ゲートパルス印加手段は、順方向信号が入力された状態で開始信号が入力されたとき、一端のゲート線から他端のゲート線へ順にパルス電圧の発信を開始し、逆方向信号が入力された状態で開始信号が入力されたとき、前記他端のゲート線から前記一端のゲート線へ順にパルス電圧の発信を開始するものであって、
順方向信号または逆方向信号を前記個別ゲートパルス印加手段に出力する方向信号出力手段を備えたことを特徴とする請求項１から３の何れか１項に記載の表示パネルの制御装置。
【請求項５】
前記個別ゲートパルス印加手段により発信するパルス電圧の周期を決定する周期決定手段を備え、
前記周期決定手段により決定された周期でパルス電圧を発信し、
前記周期決定手段は、前記書き換え画素の総数に応じて該パルス電圧の周期を決定することを特徴とする請求項１から４の何れか１項に記載の表示パネルの制御装置。
【請求項６】
前記周期決定手段は、前記書き換え画素の総数と、前記表示パネルに設けられた前記画素の総数との比率に応じて前記周期を変更することを特徴とする請求項５に記載の表示パネルの制御装置。
【請求項７】
前記個別ゲートパルス印加手段は、他の個別ゲートパルス印加手段と直列接続されており、開始信号が入力されたときに一端のゲート線から他端のゲート線へ順にパルス電圧の発信を開始し、他端のゲート線へのパルス電圧の発信を完了すると、接続された他の個別ゲートパルス印加手段へ開始信号を出力し、リセット信号が入力された場合にパルス電圧の発信を中止するものであって、
前記第１画素のアドレスのゲート線と接続された前記個別ゲートパルス印加手段に開始信号を出力する開始信号出力手段と、
前記第２画素のアドレスのゲート線にパルス電圧の発信が完了した後のタイミングで、前記第２画素のアドレスのゲート線と接続された前記個別ゲートパルス印加手段にリセット信号を出力するリセット信号出力手段とを備えたことを特徴とする請求項１から６の何れか１項に記載の表示パネルの制御装置。
【請求項８】
前記リセット信号出力手段がリセット信号を出力する前に、前記開始信号出力手段が、前記第１画素のアドレスのゲート線と接続された前記個別ゲートパルス印加手段に、開始信号を再度出力することを特徴とする請求項７に記載の表示パネルの制御装置。
【請求項９】
前記個別ゲートパルス印加手段が、開始信号を入力されたときにカウントアップを開始するカウンタと、開始カウント値を示す開始カウント信号を入力するカウント信号入力手段とを備え、前記カウンタの値が、前記カウント信号入力手段で入力した開始カウント信号が示す開始カウント値に達したとき、一端のゲート線から他端のゲート線へ順にパルス電圧の発信を開始するものであって、
前記個別電源スイッチがオンである前記個別ゲートパルス印加手段に開始信号を出力する開始信号出力手段と、
前記個別電源スイッチがオンである前記個別ゲートパルス印加手段に開始カウント信号を出力するカウント信号出力手段とを備えたことを特徴とする請求項１から６の何れか１項に記載の表示パネルの制御装置。
【請求項１０】
前記個別ゲートパルス印加手段は、前記ゲート線との接続を個別にオンオフするゲート線スイッチを備え、ゲート線スイッチがオンのゲート線の一端から他端の順にパルス電圧することを特徴とする請求項１から６の何れか１項に記載の表示パネルの制御装置。
【請求項１１】
ゲート線及びソース線へパルス電圧を印加することにより画素電極に電圧を印加して画像の書き換えが可能な不揮発性の表示パネルであって、
複数の前記ゲート線と接続され、複数の個別電源スイッチにより電源が個々にオンオフされる複数の個別ゲートパルス印加手段によって、その接続されたゲート線へパルス電圧が発信される場合に、
表示の書き換えを行なう画素（以下、「書き換え画素」という）に対応するゲート線と接続された前記個別ゲートパルス印加手段の前記個別電源スイッチがオンにされ、前記書き換え画素に対応するゲート線と接続されていない前記個別ゲートパルス印加手段の前記個別電源スイッチがオフにされることを特徴とする表示パネル。
【発明の詳細な説明】
【技術分野】
【０００１】
本発明は、画素電極へ電圧を印加せずに画像を保持できる不揮発性の表示パネル及び表示パネルの制御装置に関する。
【背景技術】
【０００２】
画素電極へ継続して電圧を印加しなくても画像が保持される不揮発性の表示パネルは、表示の書き換えを行なわないとき、表示を維持するための電力を供給する必要がないため、従来の液晶表示パネル等に比べて、消費電力を削減できるという利点を有する。
【０００３】
このような不揮発性の表示パネルを備えた表示装置においては、表示の書き換え時の電力消費量は、表示パネルの全般的な電力消費量に大きく影響するため、書き換え時の消費電力を削減することは重要である。そのため、表示パネルの画素毎に設けられたゲート電極に電圧を印加して、表示の書き換えを行なう場合に、書き換えを行なわない領域に設けられたゲート電極については、その電圧印加速度（走査速度）を速くして、書き換えにおける消費電力を削減する表示装置が提案されている（例えば、特許文献１参照）。
【特許文献１】特開２００４−３１７６２４号
【発明の開示】
【発明が解決しようとする課題】
【０００４】
特許文献１に記載された表示装置においては、書き換えを行なわない領域の走査速度を速めることにより、ある程度の消費電力の削減は達成される。しかし、書き換えを行なわない領域についても、依然として各ゲート電極へ電圧印加が行なわれるため、書き換えにおける消費電力の削減は限定的なものである。また、書き換えを行なう間、全ゲート線が接続されたゲートドライバの電源がオンになっているため、これによる消費電力も加わり、表示装置全体として大幅な消費電力の削減は望めない。
【０００５】
従って、本発明の目的は、上述の問題を解決して、不揮発性の表示パネルの表示の書き換えにおいて、消費電力を効果的に削減することができる表示パネルの制御装置を提供することにある。
【課題を解決するための手段】
【０００６】
上述の課題を解決するため、請求項１に係る表示パネルの制御装置の１つの実施態様は、ゲート線及びソース線へパルス電圧を印加することにより画素電極に電圧を印加して画像の書き換えが可能な不揮発性の表示パネルの書き換え制御を行う制御装置であって、複数の前記ゲート線と接続され、その接続されたゲート線へパルス電圧を発信する複数の個別ゲートパルス印加手段と、前記個別ゲートパルス印加手段の電源を個々にオンオフする複数の個別電源スイッチと、表示の書き換えを行なう画素（以下、「書き換え画素」という）に対応するゲート線と接続された前記個別ゲートパルス印加手段の前記個別電源スイッチをオンにし、前記書き換え画素に対応するゲート線と接続されていない前記個別ゲートパルス印加手段の前記個別電源スイッチをオフにする個別電源スイッチ制御手段とを備えたことを特徴とする。
【０００７】
ここで、「不揮発性の表示パネル」とは、画素電極へ電圧を印加せずに画像を保持できる表示パネルを意味し、具体的には、電気泳動式の表示パネルや、コレスティック液晶を始めとするメモリー効果を有する液晶表示パネル等が例示される。本発明に係る制御装置で制御を行なう不揮発性の表示パネルとしては、画素電極への電圧印加を継続せずに画像が保持される表示パネルであれば、あらゆる表示パネルを用いることができる。
【０００８】
本実施態様においては、表示の書き換えを行なうとき、書き換え画素に対応したゲート線と接続されていない個別ゲートパルス印加手段の電源をオフすることができるので、電源をオフにした個別ゲートパルス印加手段に接続されたゲート線へパルス電圧を発信する必要がなく、また、電源をオフにした個別ゲートパルス印加手段への電力供給が不要である。従って、表示の書き換えにおける消費電力を効果的に削減することができる。
なお、書き換え画素に対応するゲート線と接続されていない個別ゲートパルス印加手段について、その全ての個別ゲートパルス印加手段の電源をオフにすることもできるし、その一部の個別ゲートパルス印加手段のみ電源をオフにすることもできる。
【０００９】
請求項２に係る表示パネルの制御装置は、前記個別電源スイッチ制御手段は、表示の書き換えを行なう画素に対応するゲート線と接続されていない全ての前記個別ゲートパルス印加手段の前記個別電源スイッチをオフすることを特徴とする。
本実施態様によれば、書き換え画素に対応したゲート線と接続されていない全ての個別ゲートパルス印加手段の電源をオフにするので、表示の書き換えにおける消費電力を更に効果的に削減することができる。
【００１０】
請求項３に係る表示パネルの制御装置は、前記個別電源スイッチ制御手段は、最も端に位置する２つの前記書き換え画素（以下「第１画素」及び「第２画素」という）のアドレスの間に存在するアドレスの前記ゲート線と接続された前記個別ゲートパルス印加手段の前記個別電源スイッチをオンにし、それ以外の個別電源スイッチをオフにすることを特徴とする。
本実施態様では、書き換えを行なう領域の両端の書き換え画素のアドレスと、各個別ゲートパルス印加手段が担当するゲート線のアドレスとを比較することによって、効率的かつ確実に個別電源スイッチのオンオフ制御を実現することができる。
【００１１】
請求項４に係る表示パネルの制御装置は、前記個別ゲートパルス印加手段は、順方向信号が入力された状態で開始信号が入力されたとき、一端のゲート線から他端のゲート線へ順にパルス電圧の発信を開始し、逆方向信号が入力された状態で開始信号が入力されたとき、前記他端のゲート線から前記一端のゲート線へ順にパルス電圧の発信を開始するものであって、順方向信号または逆方向信号を前記個別ゲートパルス印加手段に出力する方向信号出力手段を備えたことを特徴とする。
本実施態様においては、パルス電圧を印加する方向を順方向または逆方向に変更できるので、仮に、パルス電圧を印加する方向によって、パルス電圧を印加するゲート線の本数が異なる場合には、パルス電圧を印加するゲート線の本数が少ない、つまり最も消費電力の少ない方向でパルス電圧の印加を行なうことができる。
【００１２】
請求項５に係る表示パネルの制御装置は、前記個別ゲートパルス印加手段により発信するパルス電圧の周期を決定する周期決定手段を備え、前記周期決定手段により決定された周期でパルス電圧を発信し、前記周期決定手段は、前記書き換え画素の総数に応じて該パルス電圧の周期を決定することを特徴とする。
本実施態様では、パルス電圧の周期が、書き換え画素の総数に応じて定められるので、書き換えを行なう領域に応じて、最適な周期でパルス電圧の印加を行なうことができる。
【００１３】
請求項６に係る表示パネルの制御装置は、前記周期決定手段は、前記書き換え画素の総数と、前記表示パネルに設けられた前記画素の総数との比率に応じて前記周期を変更することを特徴とする。
本実施態様においては、パルス電圧の周期が、書き換え画素の総数と、表示パネルに設けられた画素の総数との比率に応じて変更されるので、書き換えを行なう領域の範囲に係わらず、全領域を書き換える場合と同じ書き換え時間を確保することができ、確実に表示の書き換えを行なうことができる。
【００１４】
請求項７に係る表示パネルの制御装置は、前記個別ゲートパルス印加手段は、他の個別ゲートパルス印加手段と直列接続されており、開始信号が入力されたときに一端のゲート線から他端のゲート線へ順にパルス電圧の発信を開始し、他端のゲート線へのパルス電圧の発信を完了すると、接続された他の個別ゲートパルス印加手段へ開始信号を出力し、リセット信号が入力された場合にパルス電圧の発信を中止するものであって、前記第１画素のアドレスのゲート線と接続された前記個別ゲートパルス印加手段に開始信号を出力する開始信号出力手段と、前記第２画素のアドレスのゲート線にパルス電圧の発信が完了した後のタイミングで、前記第２画素のアドレスのゲート線と接続された前記個別ゲートパルス印加手段にリセット信号を出力するリセット信号出力手段とを備えたことを特徴とする。
【００１５】
本実施態様では、複数の個別ゲートパルス印加手段が所謂デイジーチェーン接続されており、１つの個別ゲートパルス印加手段でのパルス電圧の印加が終了したとき、接続された次の個別ゲートパルス印加手段へ開始信号を出力することにより、ゲート線へのパルス電圧の印加を順に行なうことができる。なお、本実施態様においては、リセット信号を出力した後、次の開始信号を出力することもできるし、リセット信号を出力する前に、次の開始信号を出力することもできる。
【００１６】
請求項８に係る表示パネルの制御装置は、前記リセット信号出力手段がリセット信号を出力する前に、前記開始信号出力手段が、前記第１画素のアドレスのゲート線と接続された前記個別ゲートパルス印加手段に、開始信号を再度出力することを特徴とする。
【００１７】
請求項９に係る表示パネルの制御装置は、前記個別ゲートパルス印加手段が、開始信号を入力されたときにカウントアップを開始するカウンタと、開始カウント値を示す開始カウント信号を入力するカウント信号入力手段とを備え、前記カウンタの値が、前記カウント信号入力手段で入力した開始カウント信号が示す開始カウント値に達したとき、一端のゲート線から他端のゲート線へ順にパルス電圧の発信を開始するものであって、前記個別電源スイッチがオンである前記個別ゲートパルス印加手段に開始信号を出力する開始信号出力手段と、前記個別電源スイッチがオンである前記個別ゲートパルス印加手段に開始カウント信号を出力するカウント信号出力手段とを備えたことを特徴とする。
【００１８】
本実施態様では、複数の個別ゲートパルス印加手段が所謂カスケード接続されており、個別ゲートパルス印加手段毎に備えられたカウンタが、開始信号受信によりカウントアップを開始し、各個別ゲートパルス印加手段のカウンタのカウント値が、受信したカウント信号が示すカウント値に達したとき、パルス電圧の印加を開始することにより、ゲート線のパルス電圧の印加を順に行なうことができる。なお、本実施態様においては、一連のゲート線のパルス電圧の印加が終了した後、次の開始信号を出力することもできるし、一連のゲート線のパルス電圧の印加が終了する前に、次の開始信号を出力することもできる。
【００１９】
請求項１０に係る表示パネルの制御装置は、前記個別ゲートパルス印加手段は、前記ゲート線との接続を個別にオンオフするゲート線スイッチを備え、ゲート線スイッチがオンのゲート線の一端から他端の順にパルス電圧することを特徴とする。
本実施態様では、書き換え画素に対応するゲート線のゲート線スイッチだけをオンにすることにより、パルス電圧を印加するゲート線の数を最小にすることができ、表示の書き換えにおける消費電力を更に効果的に削減することができる。
【００２０】
請求項１１に係る表示パネルは、ゲート線及びソース線へパルス電圧を印加することにより画素電極に電圧を印加して画像の書き換えが可能な不揮発性の表示パネルであって、複数の前記ゲート線と接続され、複数の個別電源スイッチにより電源が個々にオンオフされる複数の個別ゲートパルス印加手段によって、その接続されたゲート線へパルス電圧が発信される場合に、表示の書き換えを行なう画素（以下、「書き換え画素」という）に対応するゲート線と接続された前記個別ゲートパルス印加手段の前記個別電源スイッチがオンにされ、前記書き換え画素に対応するゲート線と接続されていない前記個別ゲートパルス印加手段の前記個別電源スイッチがオフにされることを特徴とする。
【発明の効果】
【００２１】
以上のように、本発明に係る表示パネルの制御装置では、表示の書き換えを行なうとき、書き換え画素に対応したゲート線と接続されていない個別ゲートパルス印加手段の電源をオフすることができるので、電源をオフにした個別ゲートパルス印加手段に接続されたゲート線へパルス電圧を発信する必要がなく、また、電源をオフにした個別ゲートパルス印加手段への電力供給が不要である。従って、表示の書き換えにおける消費電力を効果的に削減することができる。
【発明を実施するための最良の形態】
【００２２】
本発明に係る表示パネルの制御装置の実施形態について、以下に図面を用いながら詳細に説明する。以下の説明のおいては、画像の書き換えが可能な不揮発性の表示パネルの制御装置として、電気泳動式表示パネルを用いた場合を例にとって、本発明に係る表示パネルの制御装置の説明を行なう。
【００２３】
（電気泳動式表示パネルの全般的な説明）
始めに、図１〜図３を用いて、電気泳動式の表示パネルの全般的な説明、具体的には、表示パネルの基本構造、電気泳動による表示の基本原理、及び電気泳動式表示装置の電気的な基本構成の説明を行なう。
＜電気泳動式表示パネルの基本構造の説明＞
まず、図１を用いて、電気泳動式表示パネルの基本構造の説明を行なう。ここで、図１は、表示パネル４を模式的に表した側面断面図であり、紙面上側が表示パネル４の表示部側になる。
表示パネル４は、表示部側に設けられた透明な表示基板２０と、この表示基板２０と、所定間隔を隔てて略並行に配置された背面基板２２とを備えている。また、表示基板２０の背面側（紙面下側）には、透明な部材で形成された共通電極２４が取り付けられ、背面基板２２の表示側（紙面上側）には、各画素毎に設けられた複数の画素電極２６が取り付けられている。
【００２４】
そして、共通電極２４が取り付けられた表示基板２０と、複数の画素電極２６が取り付けられた背面基板２２との間に形成された密封空間に、黒色帯電粒子２８及び白色帯電粒子３０を包む分散媒３２が封入されている。
【００２５】
ここで、表示基板２０は、高い透明性と高い絶縁性を有する材料によって形成され、例えば、ポリエチレンナフタレート、ポリエーテルサルホン、ポリイミド、ポリエチレンテレフタレート、ガラス等を用いることができる。また、共通電極２４は、高い透明性を有し、電極として利用できる材料によって形成され、例えば、金属酸化物である酸化インジウムスズ、フッ素がドープされた酸化スズ、インジウムがドープされた酸化亜鉛等を用いることができる。
また、背面基板２２は、高い絶縁性を有する材料によって形成され、例えば、ガラスや絶縁処理された金属フィルム等の無機材料や、ポリエチレンテレフタレート等の有機材料を用いることができる。なお、背面基板２２は、表示基板２０と異なり、透明でも不透明でもよい。また、画素電極２６は、例えば、銅材料のような電気伝導度の高い材料によって形成される。なお、画素電極２６についての更に詳細な説明は、図２を用いて後述する。
【００２６】
分散媒３２としては、アルコール類、炭化水素、シリコーンオイルといったような、高い絶縁性を有し、粘性の低い溶液用いることができる。また、黒色帯電粒子２８及び白色帯電粒子３０は、分散媒３２中で帯電可能な材料が用いられ、例えば、有機化合物や無機化合物からなる顔料や染料、または顔料や染料を合成樹脂で包んだものを用いることができる。また、黒色帯電粒子２８及び白色帯電粒子３０は、正または負に相異なるように帯電している。
【００２７】
＜電気泳動による表示の基本原理の説明＞
次に、上述のような基本構成を有する電気泳動式の表示パネル４において、表示及び表示の書き換えを行なう場合の基本原理を説明する。ここで、図１には、画素電極２６毎に階調が異なる（ａ）〜（ｄ）の４つの表示状態が示されている。つまり、（ａ）黒色、（ｂ）濃グレー、（ｃ）薄グレー、（ｄ）白色の４つの階調の画像を表示する状態を示している。なお、図１では、１つの密封空間の中に複数の画素電極２６が配置されているように示されているが、各画素電極２６毎に諧調が明確に示されるように、隔壁等を用いて、各画素電極２６毎に独立した密封空間を形成することができる。
【００２８】
図１において、仮に、黒色帯電粒子２８が正に、白色帯電粒子３０が負に帯電しているとすると、表示基板２０側の電位を基準電位として、画素電極２６に所定の電圧を印加して背面基板２２側を正にし、十分に電界を発生させた場合、図１（ａ）に示すように、黒色帯電粒子２８が表示基板２０の近傍に分布し、白色帯電粒子４２が背面基板２２の近傍に分布する。階調は、黒色帯電粒子２８及び白色帯電粒子３０の表示部内での平均分布によって決定するので、この場合には、表示基板２０には黒色が表示される。
また、表示基板２０側の電位を基準電位として、画素電極２６に所定の電圧を印加して背面基板２２側を負にし、十分に電界を発生させると、図１（ｄ）に示すように、黒色帯電粒子２８が背面基板２２の近傍に分布し、白色帯電粒子３０が表示基板２０の近傍に分布して、表示基板２０には白色が表示される。
また、表示基板２０側の電位を基準電位として、画素電極２６に印加する電圧の大きさや印加時間を調節して、黒色帯電粒子２８及び白色帯電粒子３０を、表示基板２０と背面基板２２との中間位置の近傍に位置させると、表示基板２０側からは黒色帯電粒子２８及び白色帯電粒子３０の両方が視認できるため、階調はグレーとなる。この場合、帯電粒子の分布の度合いを変えることによって、図１（ｂ）に示す濃グレーを表示したり、図１（ｃ）に示す薄グレーを表示することができる。
【００２９】
なお、図１では、２種類の濃さのグレーのみが示されているが、これに限られるものではなく、画素電極２６に印加する電圧の大きさ及び印加時間を調整することによって、所望の濃さのグレーを表示することができる。
以上のような原理に基づき、画素電極２６に所定の電圧を印加して、表示基板２０側と背面基板２２側との間の電位差を変化させて、帯電粒子２８、３０を移動させることによって、各画素毎の諧調を変更することができる。つまり、表示の書き換えを行なうことができる。
【００３０】
また、電気泳動式の表示パネル４では、画素電極２６への電圧の印加を停止した後も、静電気力等によって黒色帯電粒子２８及び白色帯電粒子３０の分布が保持される。つまり、画素に電圧印加を行なわなくとも表示を維持することができる。従って、表示の書き換えを行なわないときには、表示を保持するために表示パネル４に電力を供給する必要がないので、消費電力を削減することができる。
【００３１】
画像の書き換えに当たっては、書き換えの前後の諧調の変化に応じた駆動パルスを画素電極２６に印加して、帯電粒子２８、３０を移動させる。このとき、書き換えを速やかに行なうため、画素電極２６に駆動パルスを印加する前に、画素電極２６にシェイキングパルスを印加することができる。ここで、シェイキングパルスとは、極性が交互に反転するパルスであり、帯電粒子２８、３０を静止状態から開放させるには十分であるが、帯電粒子２８、３０を一方の基板から他方の基板へ到達させるには不十分であるエネルギーを有する。このシェイキングパルスを画素電極２６へ印加すると、表示基板２０及び背面基板２６の表面に付着していた帯電粒子２８、３０が剥離されると共に、帯電粒子２８、３０が静止状態から開放される。よって、シェイキングパルスを印加した後に帯電粒子２８、３０を移動させるための駆動パルスを印加すると、シェイキングパルスを印加させない場合に比べて、帯電粒子２８、３０を素早く移動させることができる。またに、帯電粒子２８、３０の移動を開始し易くすることにより、前の表示履歴の影響を小さくして、再現性のある階調を表示することができる。
【００３２】
＜電気泳動表示装置の電気的構成の説明＞
次に、図２を用いて、電気泳動式の表示パネル４及び表示パネル４の制御装置６から構成される本発明に係る電気泳動表示装置２の電気的構成について説明する。図２は、電気泳動表示装置２の電気的構成を示すブロック図である。
ここで、表示パネル４には、画素毎に画素電極２６がマトリックス状に設けられており、図２に示す実施形態においては、各画素電極２６に、薄膜トランジスタ４４（Ｔｈｉｎ  Ｆｉｌｍ  Ｔｒａｎｓｉｓｔｏｒ：以下、「ＴＦＴ」という。）が接続されており、スイッチング素子として機能している。また、この画素電極２６がマトリックス状に設けられた表示パネル４には、それぞれ平行に延びた複数のゲート線４０と複数のソース線４２とが互いに交差して配設されており、各交差部近傍にＴＦＴ４４がそれぞれ設けられている。そして、各ＴＦＴ４４のゲート４４ａがゲート線４０に接続され、各ＴＦＴ４４のドレイン４４ｂがソース線４２に接続されている。
【００３３】
また、制御装置６には、ゲートパルス印加手段１２（以下、「ゲートドライバ１２」という）及びソースパルス印加手段１４（以下、「ソースドライバ１４」という）が備えられており、上述の複数のゲート線４０はゲートドライバ１２に接続され、上述の複数のソース線４２はソースドライバ１４に接続されている。なお、図２では、ゲートドライバ１２が一体的に示されているが、実際には後述するように、複数の個別ゲートパルス印加手段（以下、「個別ゲートドライバ」という）から構成されている。
更に、制御装置６には、ホスト制御部８及びコントローラ部１０が備えられている。図示されていないが、このホスト制御部８には、ハードウエアの構成として、電気泳動表示装置２の主制御を行なうＣＰＵ、制御プログラム等記憶したＲＯＭ、フラグやデータ等を一時的に記憶するＲＡＭ、画像の書き換えを制御するためのタイミング信号を生成するタイミングジェネレータ等が備えられている。
また、コントローラ部１０には、ホスト制御部８からの指示に基づいて、ゲートドライバ１２及びソースドライバ１４を制御するため、後述するような様々な制御手段が設けられており、ハードウエアの構成としては、ＩＰＤ、ＲＯＭ、ＲＡＭ等が備えられている。なお、ホスト制御部８は電気泳動表示装置２の全体の制御を行なうだけでなく、コントローラ部１０へ画像の書き換えの指示や、書き換え前後の画像データの送信等も行なう。
【００３４】
このような構成の電気泳動表示装置２において、ゲートドライバ１２からゲート線４０にオフ電圧が印加された場合には、そのゲート線４０に接続された全てのＴＦＴ４４はオフの状態となる。一方、ゲートドライバ１２からゲート線４０にオン電圧が印加される場合には、そのゲート線４０に接続された全てのＴＦＴ４４がオンの状態となる。このように、ゲート線４０に印加する電圧を制御することによって、ＴＦＴ４４のオン・オフの制御を行なっている。
そして、オンの状態となっているＴＦＴ４４に接続されているソース線４２に、ソースドライバ１４から正の電圧が印加されると、このＴＦＴ４４に接続された画素電極２６に正の電圧が印加される。一方で、ソースドライバ１４から負の電圧が印加されると、このＴＦＴ４４に接続された画素電極２６に負の電圧が印加される。
従って、ゲートドライバ１２及びソースドライバ１４から、タイミングを合わせて、ゲート線４０及びソース線４２に所定のパルス電圧を印加することによって、各々の画素電極２６に所定の電圧を印加することができる。また、表示基板２０側の共通電極２４には、各画素共通の電圧（例えば０Ｖ）が印加されるため、画素電極２６と共通電極２４との間に電界が発生し、黒色帯電粒子２８及び白色帯電粒子３０を移動させることができる。以上のようにして、１つ１つの画素の階調をそれぞれ独立に制御して画像を表示し、またその表示の書き換えを行なうことができる。
【００３５】
＜画像の書き換えの実施例の説明＞
次に、図３に示す実施例を参照しながら、画素に電圧印加を行なわずに表示を維持可能な不揮発性の表示パネル４における画像の書き換えについて説明する。図３は、図１に示す表示パネル４を表示パネル側（紙面上側）から見た図である。
図３では、問題を出してそれを回答するゲームや学習機器等に用いる場合を想定した画像である。表示パネル４の左側に問題表示部４ａ（白い背景部分）が示され、表示パネル４の右側に回答表示部４ｂ（黒い背景部分）が示さている。また、図２（ａ）には、問題表示部４ａに問題が表示され、回答表示部４ｂには何も表示がされていない状態を示し、図４（ｂ）には、画像の書き換えが行なわれて、回答表示部４ｂに回答が表示された状態を示している。
【００３６】
この場合、問題表示部４ａの表示内容は、図２（ａ）に示す書き換え前の状態と、図２（ｂ）に示す書き換え後の状態とにおいて全く変更されていない。つまり、問題表示部４ａは、次の問題が出されるまで書き換えを行なう必要がなく、回答表示部４ｂの方がより頻繁に書き替える必要がある。言い換えれば、問題表示部４ａを書き換える必要があるタイミングと、回答表示部４ｂを書き換える必要があるタイミングが異なる。
【００３７】
通常の液晶のような表示パネルでは、問題表示部４ａを書き換えない場合においても、表示を維持するために継続して画素に電圧を印加しなければならない。一方、不揮発性の表示パネル４では、画素に電圧を印加しなくても表示をそのまま維持することができるので、図２（ａ）の状態から図２（ｂ）の状態に表示を書き換える場合において、問題表示部４ａの画素に電圧を印加する必要はない。
従って、もし、問題表示部４ａ及び回答表示部４ｂにおいて、ゲートドライバを２つ個別ゲートドライバに分割し、書き換えの必要がない問題表示部４ａを担当する個別ゲートドライバの電源をオフにすることができれば、図２（ａ）の状態から図２（ｂ）の状態に表示を書き換える場合において、電源オフとなった個別ゲートドライバが担当するゲート線へ電圧印加を行なう必要がなく、また電源オフとなった個別ゲートドライバへ電源用の電力を供給する必要がない。従って、書き換え時における消費電力を削減することができる。
【００３８】
以上のことを考慮して、本発明に係る表示パネルの制御装置では、ゲートドライバが複数の個別ゲートドライバから構成され、表示の書き換え時に、書き換えを行なう必要のない領域を担当する個別ゲートドライバの電源をオフにすることによって、表示を書き換える場合の消費電力を削減し、例えば、長時間バッテリを充電する必要がない表示装置を提供することができる。
同様に、ソースドライバについても、ソースドライバが複数の個別ソースドライバから構成され、表示の書き換え時に、書き換えを行なう必要のない領域を担当する個別ソースドライバの電源をオフにすることによって、ソース線へのパルス電圧の印加、及びソースドライバへの電源電圧の印加のための消費電力を削減することができる。よって、個別ゲートドライバ及び個別ソースドライバを組み合わせることによって、更に効果的に消費電力を削減することができる。
なお、書き換えのタイミングが異なる表示の実施例は、図３に示す例には限られず、例えば、本体部分とヘッダ／フッタ部分、文章の各行と行間スペース、文章部分と挿絵部分といった例を始めとして、その他の様々な適用例が考えられる。
【００３９】
（本発明に係る表示パネルの制御装置の説明）
次に、ゲートドライバが複数の個別ゲートドライバから構成された本発明に係る表示パネルの制御装置の実施形態について、図４〜図１７を用いて詳細な説明を行なう。ここで、複数の個別ゲートドライバがデイジーチェーン接続された場合の第１の実施形態を図４のブロック図及び図８〜図１０のフローチャートに示し、複数の個別ゲートドライバがデイジーチェーン接続された場合の第２の実施形態を図５のブロック図及び図１１〜図１２のフローチャートに示し、複数の個別ゲートドライバがカスケード接続された場合の第１の実施形態を図６及び図１３〜図１５に示し、複数の個別ゲートドライバがカスケード接続された場合の第２の実施形態を図７及び図１６〜図１７に示す。
以下の実施形態において、複数の個別ゲートドライバがデイジーチェーン接続されているとは、個別ゲートドライバどうしが直列に接続されている場合を意味し、複数の個別ゲートドライバがカスケード接続されているとは、個別ゲートドライバ間の接続はなく、複数の個別ゲートドライバがハブとなるコントローラ部に接続され、複数の個別ゲートドライバがコントローラ部１０を介して接続されている場合を意味する。
【００４０】
＜デイジーチェーン接続の第１の実施形態の説明＞
まず、複数の個別ゲートドライバがデイジーチェーン接続された場合の第１の実施形態の説明を、図４のブロック図及び図８〜図１０のフローチャートを用いて行なう。なお、以下の説明においては、個別ゲートドライバに接続された複数のゲート線に順にパルス電圧を印加することを、「走査する」といい、書き換えを行なう領域を「書換領域」という。
本実施形態では、直列に接続された複数の個別ゲートドライバ５０のうち、コントローラ部１０から開始信号を受信した１つの個別ゲートドライバ５０が、一端のゲート線４０から、コントローラ部１０から受信した方向信号に基づく方向に走査を開始する。開始信号を受信した個別ゲートドライバ５０の全ゲート線４０の走査が終了、つまりこの個別ゲートドライバ５０の他端のゲート線４０のパルス電圧の印加が終了すると、この個別ゲートドライバ５０は、直列に接続された次の個別ゲートドライバ５０に開始信号を出力する。開始信号を受信した次の個別ゲートドライバ５０は、一端のゲート線４０からに走査を開始し、この個別ゲートドライバ５０の全ゲート線４０の走査が終了すると、直列に接続された更に次の個別ゲートドライバ５０に開始信号を出力する。
以上のような制御処理を繰り返すことにより、書換領域の全ゲート線４０の走査を行なうことができる。そして、書換領域の全ゲート線４０の走査が終了したとき、コントロール部１０からリセット信号が出力され、個別ゲートドライバ５０は走査を停止する。
【００４１】
＜＜ブロック図の説明＞＞
次に、図４のブロック図を用いて、複数の個別ゲートドライバがデイジーチェーン接続された場合の第１の実施形態の基本構成を説明する。なお、図４では、ゲートドライバの制御に関する制御手段を示しており、ソースドライバ側の制御手段は記載されていない。また、図４では、ゲートドライバ１２が、個別ゲートドライバ（１）５０ａ、個別ゲートドライバ（２）５０ｂ、及び個別ゲートドライバ（３）５０ｃの３つの個別ゲートドライバから構成されている場合を示す。ただし、個別ゲートドライバの数はこれに限られるものではなく、２以上の任意の数の個別ゲートドライバを設けることができる。
図４には、本発明に係る表示パネルの制御装置６の主な構成装置として、個別ゲートドライバ（１）５０ａ〜個別ゲートドライバ（３）５０ｃ、個別電源スイッチ（１）５２ａ〜個別電源スイッチ（３）５２ｃ、コントローラ部１０、及びホスト制御部８が示されている。なお、図４のコントローラ部１０に備えられた各制御手段を示すボックスの中には、その制御手段が出力する信号の名称が記載されている。
【００４２】
ここで、紙面右から左に向けて、個別ゲートドライバ（１）５０ａ、個別ゲートドライバ（２）５０ｂ、個別ゲートドライバ（３）５０ｃが順に配置されており、接続線９０により隣り合う個別ゲートドライバ５０が接続された直列接続になっている。よって、コントローラ部１０を介さずに、個別ゲートドライバ５０の間で信号の受け渡しが可能である。また、各個別ゲートドライバ５０においては、右から左の方向に、順にゲートライン＃１からゲートライン＃１０の１０本のゲート線４０が配置されている。
つまり、本実施形態では、個別ゲートドライバの番号（＃１〜＃３）及びゲートライン番号（＃１〜＃１０）によって、各ゲート線４０のアドレスを示すことができる。また、後述するパルス電圧の印加の方向（走査方向）としては、右から左（つまり、ゲートドライバ（１）〜（３）の方向、ゲートライン＃１〜＃１０の方向）を順走査方向といい、左から右（つまり、ゲートドライバ（３）〜（１）の方向、ゲートライン＃１０〜＃１の方向）を逆走査方向という。また、ゲート線４０の本数を「ゲートライン数」という。
【００４３】
個別ゲートドライバ（１）５０ａ〜個別ゲートドライバ（３）５０ｃは、それぞれ電力線８８を介して電力が供給されるようになっており、個別電源スイッチ（１）５２ａ〜個別電源スイッチ（３）５２ｃによって、個々の電源のオン・オフが切り替えられるようになっている。なお、個別電源スイッチ（１）５２ａ〜個別電源スイッチ（３）５２ｃとしては、例えば、ＴＦＴを用いて、ＴＦＴのゲートをオン・オフする信号（以下、「電源信号」という）を出力することによって、個別電源スイッチ（１）５２ａ〜個別電源スイッチ（３）５２ｃのオン・オフを制御することができる。
また、コントローラ部１０は、ホスト制御部８から受信した書換依頼信号及び書換領域データに基づいて、個別ゲートドライバ（１）５０ａ〜個別ゲートドライバ（３）５０ｃ、及び個別電源スイッチ（１）５２ａ〜個別電源スイッチ（３）５２ｃに、後述する各制御信号を出力して書換制御を行なう。
【００４４】
更に詳細に説明すれば、コントローラ部１０は、
（ａ）個別電源スイッチ５２に電源信号を出力して、書換領域に対応したゲート線４０と接続された個別ゲートドライバ５０の電源をオンにする個別電源スイッチ制御手段５４と、
（ｂ）走査を行なうゲート線４０の本数（以下、「走査ゲートライン数」という）が最小になるように定められた走査方向（順走査方向または逆走査方向）の情報を含む方向信号を、電源がオンとなった個別ゲートドライバ５０に出力する方向信号出力手段５６と、
（ｃ）パルス電圧の印加を停止させるリセット（ＲＳＴ）信号を、電源がオンとなった個別ゲートドライバ５０に出力するリセット信号出力手段５８と、
（ｄ）走査を開始する個別ゲートドライバ５０に対応した開始スイッチ８６のみをオンにして、開始信号を、開始スイッチ８６がオンになった１つの個別ゲートドライバ５０に出力する開始信号出力手段６０と、
（ｅ）書換領域に係わらず走査時間が一定になるようにパルス電圧の発信周期を演算して、それに対応したクロック信号を、電源がオンとなった個別ゲートドライバ５０に出力する周期決定手段６２と、
（ｆ）ＴＦＴ４４をオンの状態にするオン電圧を発信させるためのオン電圧信号を、電源がオンとなった個別ゲートドライバ５０に出力するオン電圧信号出力手段６６と、
（ｇ）ＴＦＴ４４をオフの状態にするオフ電圧を発信させるためのオフ電圧信号を、電源がオンとなった個別ゲートドライバ５０に出力するオフ電圧信号出力手段６８と、
を備える。
【００４５】
＜＜表示の書換制御の概要の説明＞＞
以上のような基本構成を有する制御装置６における表示の書換制御の概要を、次に説明する。コントローラ部１０がホスト制御部８から表示書替依頼信号を受信したとき、全電源がオフになった表示の保持状態から、表示の書換制御を開始する。
図４では、個別ゲートドライバ（１〜２）５０ａ〜ｂにだけ書換領域が含まれているので、個別電源スイッチ制御手段５４から、個別電源スイッチ（１〜２）５２ａ〜ｂにスイッチオンの電源信号が出力され、これにより、個別電源スイッチ５２（１〜２）ａ〜ｂのみがスイッチオンの状態になる。そして、電力線８８を介して電源電圧が出力されて、個別ゲートドライバ（１〜２）５０ａ〜ｂの電源がオンになる。一方、書換領域を含まない個別ゲートドライバ（３）５０ｃについては、個別電源スイッチ（３）５２ｃにスイッチオフの電源信号を出力、または電源信号を出力しないことによって、スイッチオフを継続し、個別ゲートドライバ（３）５０ｃの電源はオフのまま維持される。
【００４６】
次に、電源がオンになっている個別ゲートドライバ（１〜２）５０ａ〜ｂに対して、方向信号出力手段５６から順走査方向の情報を含む方向信号を出力し、オン電圧信号出力手段６６からオン電圧信号を出力し、オフ電圧信号出力手段６８からオフ電圧信号を出力し、更に、周期決定手段６２からクロック信号を出力する。
【００４７】
開始信号出力手段６０により、開始スイッチ（１）８６ａのみがオンになり、オンの状態の開始スイッチ（１）８６ａに対応した個別ゲートドライバ（１）５０ａにのみ開始信号が出力される。そして、開始信号を受信した個別ゲートドライバ（１）５０ａは、受信した方向信号に基づいて、右端のゲートライン＃１から順走査方向に走査を開始する。ここで、個別ゲートドライバ５０から発信されるパルス電圧の電圧値は、オン電圧信号出力手段６６から受信したオン電圧信号、及びオフ電圧信号出力手段６８から受信したオフ電圧信号に基づいて定められる。また、周期決定手段６２から受信したクロック信号に対応した周期で、個別ゲートドライバ５０からパルス電圧が発信される。
【００４８】
第１ゲートドライバ５０ａは、ゲートライン＃１からゲートライン＃１０までの走査を終了すると、接続線９０により接続された第２ゲートドライバ５０ｂに開始信号を出力する。第２ゲートドライバ５０ａは、この開始信号を受信すると、右端のゲートライン＃１から順走査方向に走査を行なう。そして、ゲートライン＃５のパルス電圧印加が終了すると、リセット信号出力手段５８からリセット信号が出力され、第２ゲートドライバ５０ｂは、このリセット信号を受信したとき、走査を停止する。
なお、方向信号出力手段５６から逆走査方向の方向信号を出力し、開始信号出力手段６０からゲートドライバ（２）５０ｂに開始信号を出力することによって、ゲートドライバ（２）５０ｂの左端のゲートライン＃１０から逆走査方向に走査を行なうこともできる。
【００４９】
デイジーチェーン接続の第１の実施形態では、走査を開始する場合においては、開始信号を受信した個別ゲートドライバ５０の端のゲート線４０（ゲートライン＃１または＃１０）から走査を開始し、走査を終了する場合においては、個別ゲートドライバの端のゲート線４０に達する前に、書換領域の端のゲート線４０のパルス電圧の印加が終了した時点で、この個別ゲートドライバ５０にリセット信号を出力することによって、走査を終了することができる。
なお、図４においては、開始信号を受信した個別ゲートドライバ（１）５０ａの端のゲート線４０（ゲートライン＃１）から書換領域が存在するとは限らないが、走査ゲートライン数を最小にするように走査方向が定められるので、個別ゲートドライバ（２）５０ｂのゲートライン＃５でパルス電圧の印加が終了する場合には、個別ゲートドライバ（１）５０ａのゲートライン＃１〜＃５の間で書換領域が開始されているといえる。なお、更に詳細な説明は、図９を用いて後述する。
【００５０】
＜＜フローチャートの説明＞＞
次に、図８〜図１０に示すフローチャートを用いて、上述の制御手段を備えた表示コントローラ部１０における表示の書換制御について更に詳細に説明する。
［メインルーチンの説明］
まず、図８に示すメインルーチンは、ホスト制御部８から表示書換依頼信号を受信すると開始される。コントローラ部１０は、メインルーチンを開始すると、先ず、ホスト制御部８から書換領域データを受信する（ステップＳ１２）。この書換領域データに基づいて、書換領域に含まれるゲート線４０と、書換領域に含まれないゲート線４０とを識別することができる。次に、方向、開始信号制御処理サブルーチンを行なう（ステップＳ１４）。
【００５１】
［方向、開始信号制御処理サブルーチンの説明］
次に、図９のフローチャートを用いて、ステップＳ１４に示す方向、開始信号制御処理サブルーチンの説明を行なう。まず、ホスト制御部８から受信した書換領域データに基づいて、書換領域の端１が、個別ゲートドライバ（１）５０ａの領域に含まれるか否か判断する（ステップＳ４０）。ここで、書換領域の右端を「端１」とし、書き換え領域の左端を「端２」とする。
この判断で、もし、書換領域の端１が個別ゲートドライバ（１）５０ａの領域に含まれる（ＹＥＳ）と判別したときには、次に、パラメータＭの値として、個別ゲートドライバ（１）５０ａの端１のゲートライン番号をインプットし、パラメータＸの値として１をインプットして（ステップＳ４２）、ステップＳ５０へ進む。
【００５２】
ステップＳ４０の判断で、もし、書換領域の端１が個別ゲートドライバ（１）５０ａの領域に含まれない（ＮＯ）と判別したときには、次に、書換領域の端１が、個別ゲートドライバ（２）５０ｂの領域に含まれるか否か判断する（ステップＳ４４）。この判断で、もし、書換領域の端１が個別ゲートドライバ（２）５０ｂの領域に含まれる（ＹＥＳ）と判別したときには、次に、パラメータＭの値として、個別ゲートドライバ（２）５０ｂの端１のゲートライン番号をインプットし、パラメータＸの値として２をインプットして（ステップＳ４６）、ステップＳ５０へ進む。
ステップＳ４４の判断で、もし、書換領域の端１が個別ゲートドライバ（２）５０ｂの領域に含まれない（ＮＯ）と判別したときには、次に、書換領域の端１が個別ゲートドライバ（３）５０ｃの領域に含まれると判断して、パラメータＭの値として、個別ゲートドライバ（３）５０ｃの端１のゲートライン番号をインプットし、パラメータＸの値として３をインプットして（ステップＳ４８）、ステップＳ５０へ進む。
【００５３】
ステップＳ５０においては、書換領域の端２（左端）が、個別ゲートドライバ（３）５０ｃの領域に含まれるか否か判断する（ステップＳ５０）。この判断で、もし、書換領域の端２が個別ゲートドライバ（３）５０ｃの領域に含まれる（ＹＥＳ）と判別したときには、次に、パラメータＮの値として、演算値Ｎ＝１０−（個別ゲートドライバ（３）５０ｃの端２のゲートライン番号）＋１をインプットし、パラメータＹの値として３をインプットして（ステップＳ５２）、ステップＳ６０へ進む。
【００５４】
ステップＳ５０の判断で、もし、書換領域の端２が個別ゲートドライバ（３）５０ｃの領域に含まれない（ＮＯ）と判別したときには、次に、書換領域の端２が、個別ゲートドライバ（２）５０ｂの領域に含まれるか否か判断する（ステップＳ５４）。この判断で、もし、書換領域の端２が個別ゲートドライバ（２）５０ｂの領域に含まれる（ＹＥＳ）と判別したときには、次に、パラメータＮの値として、演算値Ｎ＝１０−（個別ゲートドライバ（２）５０ｂの端２のゲートライン番号）＋１をインプットし、パラメータＹの値として２をインプットして（ステップＳ５６）、ステップＳ６０へ進む。
ステップＳ５４の判断で、もし、書換領域の端２が個別ゲートドライバ（２）５０ｂの領域に含まれない（ＮＯ）と判別したときには、書換領域の端２が個別ゲートドライバ（１）５０ａの領域に含まれると判断して、パラメータＮの値として、演算値Ｎ＝１０−（個別ゲートドライバ（１）５０ａの端２のゲートライン番号）＋１をインプットし、パラメータＹの値として１をインプットして（ステップＳ５８）、ステップＳ６０へ進む。
【００５５】
ここで、上述の制御処理によって算出されたパラメータＭ及びＮを説明すると、パラメータＭは、書換領域の端１のゲート線４０を含む個別ゲートドライバ５０において、端１のゲート線４０がこの個別ゲートドライバ５０のゲートライン＃１（右端）から何本目のゲート線に該当するかを示している。一方、パラメータＮは、書換領域の端２のゲート線４０を含む個別ゲートドライバ５０において、端２のゲート線４０がこの個別ゲートドライバ５０のゲートライン＃１０（左端）から何本目のゲート線に該当するかを示している。
また、パラメータＸは、書換領域の端１のゲート線４０を含む個別ゲートドライバ（Ｘ）の番号（＃１〜＃３の何れか）を示し、パラメータＹは、書換領域の端２のゲート線４０を含む個別ゲートドライバ（Ｙ）の番号（＃１〜＃３の何れか）を示す。
【００５６】
次に、ステップＳ６０では、パラメータＮの値がパラメータＭの値より大きいか否か判断する（ステップＳ６０）。この判断で、もし、パラメータＮの方がパラメータＭより大きい（ＹＥＳ）と判別したときには、順走査方向で走査を行なう情報を含む方向信号を選択する（ステップＳ６２）。これは、順走査方向で走査する場合の走査ゲートライン数Ｓ＝書換ゲートライン数＋Ｍ−１と、逆走査方向で走査する場合の走査ゲートライン数Ｓ＝書換ゲートライン数＋Ｎ−１とを比較すると、順走査方向の方が走査ゲートライン数Ｓが少なくなるからである。これにより、走査を行なうための消費電力を削減することができる。ここで、書換ゲートライン数とは、表示の書き換えを行なう画素を含むゲート線４０の本数をいう。
次に、開始信号を出力する１つの個別ゲートドライバ５０に対応した開始スイッチ８６である開始スイッチ（Ｘ）をオンにして（ステップＳ６４）、パラメータＳの値として、順走査方向で走査する場合の走査ゲートライン総数Ｓである演算値Ｓ＝書き換えゲートライン数＋Ｍ−１をインプットして（ステップＳ６６）、本サブルーチンを終了する。
【００５７】
ステップＳ６０の判断で、もし、パラメータＮの値がパラメータＭの値以下である（ＮＯ）と判別したときには、逆走査方向で走査を行なう情報を含む方向信号を選択する（ステップＳ６８）。これは、順走査方向で走査する場合の走査ゲートライン数Ｓと、逆走査方向で走査する場合の走査ゲートライン数Ｓとを比較すると、逆走査方向での走査ゲートライン数Ｓが、順走査方向での走査ゲートライン数Ｓ以下となり、走査を行なうための消費電力を削減することができるからでる。なお、本実施形態では、順走査方向の場合と逆走査方向の場合において、走査ゲートライン数Ｓが同一のときには、逆走査方向を選択するように設定されているが、逆に、順走査方向を選択するように設定することもできる。
そして、開始信号を出力する１つの個別ゲートドライバ５０に対応した開始スイッチ８６である開始スイッチ（Ｙ）をオンにして（ステップＳ７０）、パラメータＳの値として、逆走査方向で走査する場合の走査ゲートライン総数Ｓである演算値Ｓ＝書き換えゲートライン数＋Ｎ−１をインプットして（ステップＳ７２）、本サブルーチンを終了する。
【００５８】
［メインルーチンの説明（続き）］
再び、図８のメインルーチンの説明に戻り、ステップＳ１４の方向、開始信号制御処理サブルーチンに引き続いて、クロック周波数ｆの値として、下式の演算値をインプットする（ステップＳ１６）。
クロック周波数ｆ  ＝  Ｆ  ×  ［Ｓ／（全ゲートライン数）］
ここで、Ｆは、表示パネル４の全ての領域を書き換えた場合のクロック周波数とする。
【００５９】
この演算により、クロック周波数ｆの値は、全ての領域を書き換えた場合のクロック周波数Ｆに、走査ゲートライン数Ｓと全てのゲートラインの総数との比を乗じることによって算出される。つまり、書換領域が少ない場合は、それに比例してパルス電圧を発信する周期が遅くなる。従って、書換領域が少ない場合であっても、走査を行なう時間としては、全ての領域を書き換える場合と同じ時間を確保することができるので、帯電粒子を確実に移動させることが可能であり、確実な書き換えを行なうことができる。ただし、クロック周波数ｆを定める方法は、これに限られるものではなく、書換領域の画素数に応じて、任意の方法で定めることができる。
そして、ステップＳ１６に引き続いて、電源制御処理サブルーチンを行なう（ステップＳ１８）。
【００６０】
［電源制御処理サブルーチンの説明］
次に、図１０のフローチャートを用いて、ステップＳ１８に示す電源制御処理サブルーチンの説明を行なう。
図１０において、まず、個別ゲートドライバ（１）５０ａの流域が書換領域を含むか否か判断する（ステップＳ８０）。この判断で、もし、個別ゲートドライバ（１）５０ａの領域が書換領域を含む（ＹＥＳ）と判別したときには、次に、電源信号を出力して、個別電源スイッチ（１）５２ａをスイッチオンの状態にし（ステップＳ８２）、ステップＳ８４へ進む。ステップＳ８０の判断で、もし、個別ゲートドライバ（１）５０ａの領域が書換領域を含なない（ＮＯ）と判別したときには、次に、個別ゲートドライバ（２）５０ｂの領域が書換領域を含むか否か判断する（ステップＳ８４）。
【００６１】
この判断で、もし、個別ゲートドライバ（２）５０ｂの領域が書換領域を含む（ＹＥＳ）と判別したときには、次に、電源信号を出力して、個別電源スイッチ（２）５２ｂをスイッチオンの状態にし（ステップＳ８６）、ステップＳ８８へ進む。ステップＳ８４の判断で、もし、個別ゲートドライバ（２）５０ｂの領域が書換領域を含なない（ＮＯ）と判別したときには、次に、個別ゲートドライバ（３）５０ｃの領域が書換領域を含むか否か判断する（ステップＳ８８）。
この判断で、もし、個別ゲートドライバ（３）５０ｃの領域が書換領域を含む（ＹＥＳ）と判別したときには、次に、電源信号を出力して、個別電源スイッチ（３）５２ｃをスイッチオンの状態にし（ステップＳ９０）、ステップＳ９２へ進む。ステップＳ８８の判断で、もし、個別ゲートドライバ（３）５０ｃの領域が書換領域を含なない（ＮＯ）と判別したときには、そのまま、ステップＳ９２へ進む。
ステップＳ９２では、電力線８８を介して電源電圧を出力して、上述の制御処理によって個別電源スイッチ５２がオンの状態になった個別ゲートドライバ５０の電源をオンにして（ステップＳ９２）、本サブルーチンを終了する。
以上の制御処理により、表示の書き換えに際して、書換領域を含む個別ゲートドライバ５０のみの電源をオンにし、その他の個別ゲートドライバ５０については電源をオフのままに維持することができる。なお、個別電源スイッチ５２のタイプに応じて、電源をオフのまま維持する個別ゲートドライバ５０について、対応する個別電源スイッチ５２にスイッチオフの電源信号を出力する場合も考えられるし、電源信号を送信しないことにより、個別電源スイッチ５２のスイッチオフの状態を維持する場合も考えられる。
【００６２】
［メインルーチンの説明（続き）］
再び、図８のメインルーチンの説明に戻り、ステップＳ１８の電源制御サブルーチンに引き続いて、方向信号出力手段５６により、方向、開始信号制御サブルーチン（図９参照）で定めた方向信号を、電源がオンになっている個別ゲートドライバ（図４では、個別ゲートドライバ（１〜２）５０ａ〜ｂ）に出力する（ステップＳ２０）。次に、電源がオンになっている個別ゲートドライバ（図４では、個別ゲートドライバ（１〜２）５０ａ〜ｂ）に対して、オン電圧信号出力手段６６から、ＴＦＴ４４をオンの状態にするオン電圧を発信させるためのオン電圧信号を出力し、オフ電圧信号出力手段６８から、ＴＦＴ４４をオフ状態にするオフ電圧を発信させるためのオフ電圧信号を出力する（ステップＳ２２）。
【００６３】
次に、周期決定手段により、ステップＳ１６で演算したクロック周波数ｆに基づいたクロック信号を、電源がオンになっている個別ゲートドライバ（図４では、個別ゲートドライバ（１〜２）５０ａ〜ｂ）に出力する（ステップＳ２４）。そして、開始信号出力手段６０により、スイッチオンの状態にした開始スイッチ（図４では、開始スイッチ（１）８６ａ）に対応した個別ゲートドライバ（図４では、個別ゲートドライバ（１）５０ａ）に開始信号を出力する（ステップＳ２６）。
これにより、開始信号を受信した個別ゲートドライバ（図４では、個別ゲートドライバ（１）５０ａ）が一端のゲート線４０（図４では、ゲートライン＃１）から走査を開始し、１つの個別ゲートドライバにおける走査が終了する毎に、直列に接続された次の個別ゲートドライバに開始信号を送信して、走査を開始させる制御処理を行なう。以上のような制御処理を繰り返すことによって、ゲート線４０の走査を行なうことができる。
【００６４】
そして、開始信号を出力後、コントローラ部１０に備えられたクロック立ち上がり数が、方向、開始信号制御サブルーチン（図９参照）で算出された走査ゲートライン数Ｓに達したとき、リセット信号出力手段５８が、リセット（ＲＳＴ）信号を。電源がオンになっている個別ゲートドライバ（図４では、個別ゲートドライバ（１〜２）５０ａ〜ｂ）に出力し（ステップＳ２８）、ステップＳ３０へ進む。これにより、個別ゲートドライバ５０によるパルス電圧の印加が停止する。
ステップＳ３０では、表示の書き換えのための走査が全て終了したか否か判断する（ステップＳ３０）。上述のように、表示の書き換えにおいては、画素電極に駆動パルス及びシェイキングパルスを印加することにより、帯電粒子を素早く移動させることができ、また再現性のある階調を画素に表示させることができる。従って、書換領域のゲート線４０の走査は、ソース電圧を変えて繰り返し行なわれる。
【００６５】
ステップＳ３０の判断で、もし、表示の書き換えのための走査が全て終了してはいない（ＮＯ）と判別したときには、ステップＳ２６に戻り、ステップＳ２６からステップＳ３０までの制御処理を繰り返して、書換領域のゲート線４０の走査を繰り返す。ステップＳ３０の判断で、もし、表示の書き換えのための走査が全て終了した（ＹＥＳ）と判別したときには、次に、全出力を停止し（ステップＳ３２）、全てのスイッチ（例えば、図４では、個別電源スイッチ（１）５２ａ、個別電源スイッチ（２）５２ｂ、開始スイッチ（１）８６ａ）をオフの状態にして（ステップＳ３４）、メインルーチンを終了する。以上によって、一連の表示の書換制御を終了する。
【００６６】
＜デイジーチェーン接続の第２の実施形態の説明＞
次に、複数の個別ゲートドライバがデイジーチェーン接続された場合の第２の実施形態の説明を、図５のブロック図及び図１１〜図１２のフローチャートを用いて行なう。
この第２の実施形態では、直列に接続された各々の個別ゲートドライバ５０が、ゲート線４０毎にゲート線スイッチ８４を備えており、書換領域に応じて個々のゲート線スイッチ８４のオン・オフを変更することができる。従って、デイジーチェーン接続の第１の実施形態では、走査を開始する個別ゲートドライバにおいて、書換領域が存在するか否かに係わらず、常に一端のゲート線（ゲートライン＃１または＃１０）から走査を開始する必要があったが、本実施形態では、書換領域のゲート線４０のゲート線スイッチ８４のみをオンにすることによって、書換領域のゲート線４０のみを走査することができる。
【００６７】
＜＜ブロック図の説明＞＞
次に、図５のブロック図を用いて、複数の個別ゲートドライバがデイジーチェーン接続された場合の第２の実施形態の基本構成を説明する。ここでは、図４に示す第１の実施形態と異なる点のみ説明する。
上述のように、個別ゲートドライバ（１）５０ａ〜個別ゲートドライバ（３）５０ｃには、各ゲート線４０（ゲートライン＃１〜＃１０）毎にゲート線スイッチ８４が設けられている。これに対応して、コントローラ部１０には、各個別ゲートドライバ５０における書換領域のゲート線４０のゲート線スイッチ８４をオンにするための位置信号を、各個別ゲートドライバに出力する位置信号出力手段７０備えられる。
一方、順走査方向または逆走査方向で、走査ゲートライン数が変わらないので、方向信号を出力する必要はなく、本実施形態では方向信号出力手段５６が備えられていない。また、同様に個別ゲートドライバ５０にパルス電圧の印加を停止させるためのリセット信号を出力する必要もないので、本実施形態ではリセット信号出力手段５８が備えられていない。
その他の点においては、図４に示すデイジーチェーン接続された場合の第１の実施形態と同様である。
【００６８】
＜＜表示の書換制御の概要の説明＞＞
以上のような基本構成を有する制御装置６における表示の書換制御の概要を、次に説明する。コントローラ部１０がホスト制御部８から表示書替依頼信号を受信したとき、全電源がオフになった表示の保持状態から、表示の書換制御を開始する。
図５では、個別ゲートドライバ（１〜２）５０ａ〜ｂにだけ書換領域が含まれているので、個別電源スイッチ制御手段５４から、個別電源スイッチ（１〜２）５２ａ〜ｂにスイッチオンの電源信号が出力され、これにより、個別電源スイッチ５２（１〜２）ａ〜ｂのみがスイッチオンの状態になる。そして、電力線８８を介して電源電圧が出力されて、個別ゲートドライバ（１〜２）５０ａ〜ｂの電源がオンになる。一方、書換領域を含まない個別ゲートドライバ（３）５０ｃについては、個別電源スイッチ（３）５２ｃにスイッチオフの電源信号を出力、または電源信号を出力しないことによって、スイッチオフを継続し、個別ゲートドライバ（３）５０ｃの電源はオフのまま維持される。
【００６９】
次に、電源がオンになっている個別ゲートドライバ（１〜２）５０ａ〜ｂに対して、位置信号出力手段７０から各個別ゲートドライバ５０に、書換領域のゲート線４０のゲート線スイッチ８４をオンにするための位置信号１、２を出力し、オン電圧信号出力手段６６からオン電圧信号を出力し、オフ電圧信号出力手段６８からオフ電圧信号を出力し、更に、周期決定手段６２からクロック信号を出力する。
【００７０】
また、開始信号出力手段６０により、開始スイッチ（１）８６ａのみがオンになり、オンの状態の開始スイッチ（１）８６ａに対応した個別ゲートドライバ（１）５０ａにのみ開始信号が出力される。そして、開始信号を受信した個別ゲートドライバ（１）５０ａは、位置信号出力手段７０から受信した位置信号１に基づいて、ゲート線スイッチ８４がオンとなったゲートライン＃５からゲートライン＃１０までの走査を行なう。ここで、個別ゲートドライバ５０から発信されるパルス電圧の電圧値は、オン電圧信号出力手段６６から受信したオン電圧信号、及びオフ電圧信号出力手段６８から受信したオフ電圧信号に基づいて定められる。また、周期決定手段６２から受信したクロック信号に対応した周期で、個別ゲートドライバ５０からパルス電圧が発信される。
【００７１】
個別ゲートドライバ（１）５０ａが、ゲートライン＃５からゲートライン＃１０までの走査を終了すると、接続線９０により接続された個別ゲートドライバ（２）５０ｂに開始信号を出力する。個別ゲートドライバ（２）５０ａは、この開始信号を受信すると、位置信号出力手段７０から受信した位置信号２に基づいて、ゲート線スイッチ８４がオンとなったゲートライン＃１からゲートライン＃５までの走査を行ない、ゲートライン＃５のパルス電圧印加が終了した時点で、パルス電圧の印加を停止する。
なお、上述の説明においては、１つの個別ゲートドライバ５０の中で、順走査方向でゲート線スイッチ８４がオンとなったゲート線を走査するように記載されているが、これに限られるものではなく、逆走査方向に走査することもできるし、その他の任意の順番で走査することができる。
【００７２】
＜＜フローチャートの説明＞＞
次に、図１１〜図１２に示すフローチャートを用いて、上述の制御手段を備えた表示コントローラ部１０における表示の書換制御について更に詳細に説明する。
＜＜メインルーチンの説明＞＞
図１１に示すメインルーチンは、ホスト制御部８から表示書換依頼信号を受信すると開始される。コントローラ部１０は、メインルーチンを開始すると、先ず、ホスト制御部８から書換領域データを受信する（ステップＳ１０２）。この書換領域データに基づいて、書換領域に含まれるゲート線４０と、書換領域に含まれないゲート線４０とを識別することができる。次に、位置、開始信号制御処理サブルーチンを行なう（ステップＳ１０４）。
【００７３】
［位置、開始信号制御処理サブルーチンの説明］
ここで、図１２のフローチャートを用いて、ステップＳ１０４に示す位置、開始信号制御処理サブルーチンの説明を行なう。まず、ホスト制御部８から受信した書換領域データに基づいて、個別ゲートドライバ５０毎に、書換領域の全てのゲート線４０のゲート線スイッチ８４をオンにする情報を含む位置信号１〜３を作成する（ステップＳ１３０）。ここで、位置信号１は、個別ゲートドライバ（１）５０ａ用の位置信号であり、位置信号２は、個別ゲートドライバ（２）５０ｂ用の位置信号であり、位置信号３は、個別ゲートドライバ（３）５０ｃ用の位置信号である。
【００７４】
次に、書換領域の端１（右端）が、ゲートドライバ（１）５０ａの領域に含まれるか否か判断する（ステップＳ１３２）。この判断で、もし、書換領域の端１が個別ゲートドライバ（１）５０ａの領域に含まれる（ＹＥＳ）と判別したときには、次に、個別ゲートドライバ（１）５０ａに対応した開始スイッチ（１）８６ａのスイッチをオンにして（ステップＳ１３４）、本サブルーチンを終了する。ステップＳ１３２の判断で、もし、書換領域の端１が個別ゲートドライバ（１）５０ａの領域に含まれない（ＮＯ）と判別したときには、次に、書換領域の端１が、ゲートドライバ（２）５０ｂの領域に含まれるか否か判断する（ステップＳ１３６）。
この判断で、もし、書換領域の端１が個別ゲートドライバ（２）５０ｂの領域に含まれる（ＹＥＳ）と判別したときには、次に、個別ゲートドライバ（２）５０ｂに対応した開始スイッチ（２）８６ｂのスイッチをオンにして（ステップＳ１３８）、本サブルーチンを終了する。ステップＳ１３６の判断で、もし、書換領域の端１が個別ゲートドライバ（２）５０ｂの領域に含まれない（ＮＯ）と判別したときには、書換領域の端１が個別ゲートドライバ（３）５０ｃの領域に含まれるとい判断して、個別ゲートドライバ（３）５０ｃに対応した開始スイッチ（３）８６ｃのスイッチをオンにして（ステップＳ１４０）、本サブルーチンを終了する。以上のようにして、書換領域の端１が含まれる１つの個別ゲートドライバ５０に対応した開始スイッチ８６のスイッチをオンにすることができる。
【００７５】
［メインルーチンの説明（続き）］
再び、図１１のメインルーチンの説明に戻り、ステップＳ１０４の位置、開始信号制御処理サブルーチンに引き続いて、周期決定手段６２によって、クロック周波数ｆの値として、下式の演算値をインプットする（ステップＳ１０６）。
クロック周波数ｆ  ＝  Ｆ  ×  ［Ｓ／（全ゲートライン数）］
ここで、Ｆは、表示パネル４の全ての領域を書き換えた場合のクロック周波数とする。
そして、ステップＳ１０６に引き続いて、電源制御処理サブルーチンを行なう（ステップＳ１０８）。この電源制御処理サブルーチンについては、既に説明を行なった図１０のフローチャートと同一なので、更なる説明は省略する。
【００７６】
ステップＳ１１８の電源制御サブルーチンに引き続いて、位置信号出力手段７０により、位置、開始信号制御サブルーチン（図１２参照）で作成した位置信号（図５では、位置信号１、２）を、電源がオンとなった個別ゲートドライバ（図５では、ゲートドライバ（１〜２）５０ａ〜ｂ）に出力する（ステップＳ１１０）。次に、電源がオンになっている個別ゲートドライバ（図５では、個別ゲートドライバ（１〜２）５０ａ〜ｂ）に対して、オン電圧信号出力手段６６からオン電圧信号を出力し、オフ電圧信号出力手段６８からオフ電圧信号を出力する（ステップＳ１１２）。
【００７７】
次に、周期決定手段６２によって、ステップＳ１０６で演算したクロック周波数ｆに基づいたクロック信号を、電源がオンになっている個別ゲートドライバ（図５では、個別ゲートドライバ（１〜２）５０ａ〜ｂ）に出力する（ステップＳ１１４）。そして、開始信号出力手段６０により、スイッチオンの状態にした開始スイッチ（図５では、開始スイッチ（１）８６ａ）に対応した個別ゲートドライバ（図５では、個別ゲートドライバ（１）５０ａ）に開始信号を出力する（ステップＳ１１６）。
これにより、開始信号を受信した個別ゲートドライバ（図５では、個別ゲートドライバ（１）５０ａ）が、ゲート線スイッチ８４がオンになったゲート線４０（図５では、ゲートライン＃５〜＃１０）の走査を開始し、１つの個別ゲートドライバにおける走査が終了する毎に、直列に接続された次の個別ゲートドライバに開始信号を送信して、走査を開始させる制御処理を行なう。以上のような制御処理を繰り返すことによって、ゲート線４０の走査を行なうことができる。
【００７８】
次に、ゲート線スイッチ８４がオンになった全てのゲート線４０の一連の走査（以下、「１走査」という）が終了したか否か判断する（ステップＳ１１８）。この判断で、もし、まだ１走査が終了していない（ＮＯ）と判別したときには、この判断処理を繰り返す。ステップＳ１１８の判断で、もし、１走査が終了した（ＹＥＳ）と判別したとき、つまり、図５でいえば、個別ゲートドライバ（１）５０ａのゲートライン＃５〜＃１０、及び個別ゲートドライバ（２）５０ｂのゲートライン＃１〜＃５の走査が終了したと判別したとき、ステップＳ１２０へ進む。
【００７９】
ステップＳ１２０では、表示の書き換えのための走査が全て終了したか否か判断する（ステップＳ１２０）。この判断で、もし、表示の書き換えのための走査が全て終了してはいない（ＮＯ）と判別したときには、ステップＳ１１６に戻り、ステップＳ１１６からステップＳ１２０までの制御処理を繰り返して、書換領域のゲート線４０の走査を繰り返す。ステップＳ１２０の判断で、もし、表示の書き換えのための走査が全て終了した（ＹＥＳ）と判別したときには、次に、全出力を停止し（ステップＳ１２２）、全てのスイッチ（例えば、図５では、個別電源スイッチ（１）５２ａ、個別電源スイッチ（２）５２ｂ、開始スイッチ（１）８６ａ、ゲート線スイッチ８４）をオフの状態にして（ステップＳ１２４）、メインルーチンを終了する。以上によって、一連の表示書換制御を終了する。
【００８０】
＜カスケード接続の第１の実施形態の説明＞
次に、複数の個別ゲートドライバがカスケード接続された場合の第１の実施形態の説明を、図６のブロック図及び図１３〜図１５のフローチャートを用いて行なう。
本実施形態では、複数の個別ゲートドライバ５０どうしは接続されておらず、ハブとなるコントローラ部１０を介してカスケード接続されている。また、個々の個別ゲートドライバ５０は、カウンタ８０と、コントローラ部１０からカウント信号を受信するカウント信号入力手段８２とを備えている。
本実施形態では、開始信号及び開始カウント信号が、コントローラ部１０から電源がオンとなった全ての個別ゲートドライバ５０に出力され、開始信号を受信した各個別ゲートドライバ５０は、カウンタ８０のカウントアップを開始する。最初に走査を開始する個別ゲートドライバ５０のカウント値が、受信した開始カウント信号に基く開始カウント値（例えば、カウント値＝１）に達して、一端のゲート線４０から、コントローラ部１０から受信した方向信号に基づく方向に走査を開始する。そして、最初に走査を開始した個別ゲートドライバ５０の全ゲート線４０の走査が終了、つまりこの個別ゲートドライバ５０の他端のゲート線４０のパルス電圧の印加が終了すると、次に２番目に走査を開始する個別ゲートドライバ５０のカウンタのカウントアップ値が、受信した開始カウント信号に基く開始カウント値に達して走査を開始する。以上のような制御処理を繰り返すことにより、書換領域の全ゲート線４０の走査を実施することができる。そして、書換領域の全ゲート線４０の走査が終了したとき、コントロール部１０からリセット信号が出力され、個別ゲートドライバ５０は走査を停止する。
【００８１】
＜＜ブロック図の説明＞＞
次に、図６のブロック図を用いて、複数の個別ゲートドライバがカスケード接続された場合の第１の実施形態の基本構成を説明する。図６では、上述のデイジーチェーン接続の場合と同様に、ゲートドライバ１２が、個別ゲートドライバ（１）５０ａ、個別ゲートドライバ（２）５０ｂ、及び個別ゲートドライバ（３）５０ｃの３つの個別ゲートドライバ５０から構成されている場合を示す。
また、制御装置６の主な構成装置は、上述のデイジーチェーン接続の場合と同様に、個別ゲートドライバ（１）５０ａ〜個別ゲートドライバ（３）５０ｃ、個別電源スイッチ（１）５２ａ〜個別電源スイッチ（３）５２ｃ、コントローラ部１０、及びホスト制御部８である。
また、各個別ゲートドライバ５０の配置、及び各個別ゲートドライバ５０に設けられたゲート線４０（ゲートライン＃１〜＃１０）の配置も、上述のデイジーチェーン接続の場合と同様である。
【００８２】
同様に、ゲートドライバ（１）５０ａ〜ゲートドライバ（３）５０ｃは、それぞれ電力線８８を介して電力が供給されるようになっており、個別電源スイッチ（１）５２ａ〜個別電源スイッチ（３）５２ｃによって、個々の電源のオン・オフが切り替えられるようになっている。また、コントローラ部１０は、ホスト制御部８から受信した書換依頼信号及び書換領域データに基づいて、ゲートドライバ（１）５０ａ〜ゲートドライバ（３）５０ｃ、及び個別電源スイッチ（１）５２ａ〜個別電源スイッチ（３）５２ｃに、後述する各制御信号を出力送信して書換制御を行なう。
【００８３】
更に詳細に説明すれば、表示コントローラ部１０は、
（ａ）個別電源スイッチ５２に電源信号を出力して、書換領域に対応したゲート線４０と接続された個別ゲートドライバ５０の電源をオンにする個別電源スイッチ制御手段５４と、
（ｂ）走査ゲートライン数が最小になるように定められた走査方向（順走査方向または逆走査方向）の情報を含む方向信号を、電源がオンとなった個別ゲートドライバ５０に出力する方向信号出力手段５６と、
（ｃ）各個別ゲートドライバが走査を開始する開始カウント値の情報を含む開始カウント信号を、電源がオンとなった個別ゲートドライバ５０に出力する開始カウント信号出力手段６４と、
（ｄ）パルス電圧の印加を停止させるリセット（ＲＳＴ）信号を、電源がオンとなった個別ゲートドライバ５０に出力するリセット信号出力手段５８と、
（ｅ）開始信号を、電源がオンとなった個別ゲートドライバ５０に出力する開始信号出力手段６０と、
（ｆ）書換領域に係わらず走査時間が一定になるようにパルス電圧の発信周期を演算して、それに対応したクロック信号を、電源がオンとなった個別ゲートドライバ５０に出力する周期決定手段６２と、
（ｇ）ＴＦＴ４４をオンの状態にするオン電圧を発信させるためのオン電圧信号を、電源がオンとなった個別ゲートドライバ５０に出力するオン電圧信号出力手段６６と、
（ｈ）ＴＦＴ４４をオフの状態にするオフ電圧を発信させるためのオフ電圧信号を、電源がオンとなった個別ゲートドライバ５０に出力するオフ電圧信号出力手段６８と、
を備える。
【００８４】
＜＜表示の書換制御の概要の説明＞＞
以上のような基本構成を有する制御装置６における表示の書換制御の概要を、図６を用いて次に説明する。コントローラ部１０がホスト制御部８から表示書替依頼信号を受信したとき、全電源がオフになった表示の保持状態から、表示の書換制御を開始する。
図６では、個別ゲートドライバ（１〜２）５０ａ〜ｂにだけ書換領域が含まれているので、個別電源スイッチ制御手段５４から、個別電源スイッチ（１〜２）５２ａ〜ｂにスイッチオンの電源信号が出力され、これにより、個別電源スイッチ５２（１〜２）ａ〜ｂのみがスイッチオンの状態になる。そして、電力線８８を介して電源電圧が出力されて、個別ゲートドライバ（１〜２）５０ａ〜ｂの電源がオンになる。一方、書換領域を含まない個別ゲートドライバ（３）５０ｃについては、個別電源スイッチ（３）５２ｃにスイッチオフの電源信号を出力、または電源信号を出力しないことによって、スイッチオフを継続し、個別ゲートドライバ（３）５０ｃの電源はオフのまま維持される。
【００８５】
次に、電源がオンになっている個別ゲートドライバ（１〜２）５０ａ〜ｂに対して、方向信号出力手段５６から順走査方向の情報を含む方向信号を出力し、カウント信号出力手段６４から走査を開始する開始カウント値の情報を含む開始カウント信号１、２を出力し、オン電圧信号出力手段６６からオン電圧信号を出力し、オフ電圧信号出力手段６８からオフ電圧信号を出力し、更に、周期決定手段６２からクロック信号を出力する。
なお、カスケード接続の場合には、電源がオンになっている全ての個別ゲートドライバ５０へ出力されるので、デイジーチェーン接続における開始スイッチ８６は設けられていない。
【００８６】
開始信号を受信した個別ゲートドライバ（１〜２）５０ａ〜ｂに備えられたカウンタ８０が、カウントアップを開始する。そして、始めに走査を開始する個別ゲートドライバ（１）５０ａのカウンタ８０のカウント値が、受信した開始カウント信号１に基づく開始カウント値（例えば、カウント値＝１）に達したとき、方向信号出力手段５６から出力された方向信号に基づく順走査方向で、一端のゲートライン＃１から他端のゲートライン＃１０まで走査が行なわれる。そして、ゲートライン＃１０の走査が終了すると、次の個別ゲートドライバ（２）５０ｂのカウンタ８０のカウント値が、受信した開始カウント信号２に基づく開始カウント値に達し、方向信号出力手段５６から受信した方向信号に基づく順走査方向で、一端のゲートライン＃１から走査を開始する。
【００８７】
そして、個別ゲートドライバ（２）５０ｂのゲートライン＃５の走査が終了した時点で、リセット信号出力手段５８からリセット信号が出力され、第２ゲートドライバ５０ｂは、このリセット信号を受信したとき、走査を停止する。
なお、上述のデイジーチェーン接続の場合と同様に、個別ゲートドライバ５０から発信されるパルス電圧の電圧値は、オン電圧信号出力手段６６から受信したオン電圧信号、及びオフ電圧信号出力手段６８から受信したオフ電圧信号に基づいて定められる。また、周期決定手段６２から受信したクロック信号に対応した周期で、個別ゲートドライバ５０からパルス電圧が発信される。
【００８８】
カスケード接続の第１の実施形態では、デイジーチェーン接続の第１の実施形態と同様に、走査を開始する場合においては、書換領域を含むか否かに係わらず、最初に走査を開始する個別ゲートドライバ５０は、端のゲート線４０（ゲートライン＃１または＃１０の）から走査を開始する。一方、走査を終了する場合においては、最後に走査を開始する個別ゲートドライバ５０の端のゲート線４０に達する前に、書換領域の端のゲート線４０のパルス電圧の印加が終了した時点で、その個別ゲートドライバ５０にリセット信号を出力することによって、走査を終了することができる。
【００８９】
＜＜フローチャートの説明＞＞
次に、図１３〜図１５に示すフローチャートを用いて、上述の制御手段を備えた表示コントローラ部１０における表示の書換制御について更に詳細に説明する。
［メインルーチンの説明］
図１３に示すメインルーチンは、ホスト制御部８から表示書換依頼信号を受信すると開始される。コントローラ部１０は、メインルーチンを開始すると、先ず、ホスト制御部８から書換領域データを受信する（ステップＳ１５２）。この書換領域データに基づいて、書換領域に含まれるゲート線４０と、書換領域に含まれないゲート線４０とを識別することができる。次に、方向信号制御処理サブルーチンを行なう（ステップＳ１５４）。
【００９０】
［方向信号制御処理サブルーチンの説明］
次に、図１４のフローチャートを用いて、ステップＳ１５４に示す方向信号制御処理サブルーチンの説明を行なう。まず、ホスト制御部８から受信した書換領域データに基づいて、書換領域の端１（右端）が、個別ゲートドライバ（１）５０ａの領域に含まれるか否か判断する（ステップＳ１８０）。
この判断で、もし、書換領域の端１がゲートドライバ（１）５０ａの領域に含まれる（ＹＥＳ）と判別したときには、次に、パラメータＭの値として、ゲートドライバ（１）５０ａの端１のゲートライン番号をインプットし、パラメータＸの値として１をインプットして（ステップＳ１８２）、ステップＳ１９０へ進む。
【００９１】
ステップＳ１８０の判断で、もし、書換領域の端１が個別ゲートドライバ（１）５０ａの領域に含まれない（ＮＯ）と判別したときには、次に、書換領域の端１が、個別ゲートドライバ（２）５０ｂの領域に含まれるか否か判断する（ステップＳ１８４）。この判断で、もし、書換領域の端１がゲートドライバ（２）５０ｂの領域に含まれる（ＹＥＳ）と判別したときには、次に、パラメータＭの値として、ゲートドライバ（２）５０ｂの端１のゲートライン番号をインプットし、パラメータＸの値として２をインプットして（ステップＳ１８６）、ステップＳ１９０へ進む。
ステップＳ１８４の判断で、もし、書換領域の端１が個別ゲートドライバ（２）５０ｂの領域に含まれない（ＮＯ）と判別したときには、書換領域の端１がゲートドライバ（３）５０ｃの領域に含まれると判断して、パラメータＭの値として、個別ゲートドライバ（３）５０ｃの端１のゲートライン番号をインプットし、パラメータＸの値として３をインプットして（ステップＳ１８８）、ステップＳ１９０へ進む。
【００９２】
ステップＳ１９０においては、書換領域の端２（左端）が、個別ゲートドライバ（３）５０ｃの領域に含まれるか否か判断する（ステップＳ１９０）。この判断で、もし、書換領域の端２が個別ゲートドライバ（３）５０ｃの領域に含まれる（ＹＥＳ）と判別したときには、次に、パラメータＮの値として、演算値Ｎ＝１０−（個別ゲートドライバ（３）５０ｃの端２のゲートライン番号）＋１をインプットし、パラメータＹの値として３をインプットして（ステップＳ１９２）、ステップＳ２００へ進む。
ステップＳ１９０の判断で、もし、書換領域の端２が個別ゲートドライバ（３）５０ｃの領域に含まれない（ＮＯ）と判別したときには、次に、書換領域の端２が、個別ゲートドライバ（２）５０ｂの領域に含まれるか否か判断する（ステップＳ１９４）。この判断で、もし、書換領域の端２が個別ゲートドライバ（２）５０ｂの領域に含まれる（ＹＥＳ）と判別したときには、次に、パラメータＮの値として、演算値Ｎ＝１０−（個別ゲートドライバ（２）５０ｂの端２のゲートライン番号）＋１をインプットし、パラメータＹの値として２をインプットして（ステップＳ１９６）、ステップＳ２００へ進む。
ステップＳ１９４の判断で、もし、書換領域の端２が個別ゲートドライバ（２）５０ｂの領域に含まれない（ＮＯ）と判別したときには、書換領域の端２が個別ゲートドライバ（１）５０ａの領域に含まれると判断して、パラメータＮの値として、演算値Ｎ＝１０−（個別ゲートドライバ（１）５０ａの端２のゲートライン番号）＋１をインプットし、パラメータＹの値として１をインプットして（ステップＳ１９８）、ステップＳ２００へ進む。
【００９３】
ここで、上述の制御処理によって算出されたパラメータＭ、パラメータＮ、パラメータＸ、及びパラメータＹを説明すると、上述と同様に、パラメータＭは、書換領域の端１のゲート線４０を含む個別ゲートドライバ５０において、端１のゲート線４０がこの個別ゲートドライバ５０のゲートライン＃１（右端）から何本目のゲート線に該当するかを示している。パラメータＮは、書換領域の端２のゲート線４０を含む個別ゲートドライバ５０において、端２のゲート線４０がこの個別ゲートドライバ５０のゲートライン＃１０（左端）から何本目のゲート線に該当するかを示している。また、パラメータＸは、書換領域の端１のゲート線４０を含む個別ゲートドライバ（Ｘ）の番号（＃１〜＃３の何れか）を示し、パラメータＹは、書換領域の端２のゲート線を含む個別ゲートドライバ（Ｙ）の番号（＃１〜＃３の何れか）を示す。
【００９４】
次に、ステップＳ２００では、パラメータＮの値がパラメータＭの値より大きいか否か判断する（ステップＳ２００）。この判断で、もし、パラメータＮの方がパラメータＭより大きい（ＹＥＳ）と判別したときには、順走査方向で走査を行なう情報を含む方向信号を選択し（ステップＳ２０２）、パラメータＳの値として、順走査方向で走査する場合の走査ゲートライン数Ｓである演算値Ｓ＝書き換えゲートライン数＋Ｍ−１をインプットして（ステップＳ２０４）、本サブルーチンを終了する。
【００９５】
ステップＳ２００の判断で、もし、パラメータＮの値がパラメータＭの値以下である（ＮＯ）と判別したときには、逆走査方向で走査を行なう情報を含む方向信号を選択し（ステップＳ２０６）、パラメータＳの値として、逆走査方向で走査する場合の走査ゲートライン数Ｓである演算値Ｓ＝書き換えゲートライン数＋Ｎ−１をインプットして（ステップＳ２０８）、本サブルーチンを終了する。
以上のように、上述のデイジーチェーン接続の第１の実施形態の場合と同様に、走査ゲートライン数Ｓが最小になるように走査方向が決定される。なお、カスケードチェーン接続では、電源がオンのなった全ての個別ゲートドライバ５０に開始信号を出力するので、デイジーチェーン接続のような開始信号スイッチ８６は存在せず、開始信号スイッチ８６のオン・オフを行なう制御処理も行なわない。
【００９６】
［メインルーチンの説明（続き）］
再び、図８のメインルーチンの説明に戻り、ステップＳ１５４の方向信号制御処理サブルーチンに引き続いて、開始カウント信号制御処理サブルーチン行なう（ステップＳ１５６）。
［開始カウント信号制御処理サブルーチンの説明］
次に、図１５のフローチャートを用いて、開始カウント信号制御処理サブルーチンの説明を行なう。
図１５において、まずパラメータＹからパラメータＸを引いた値が２であるか否か判断する（ステップＳ２２０）。この判断で、もし、パラメータＹからパラメータＸを引いた値が２である（ＹＥＳ）と判別したときには、次に、２番目に走査を開始するのが個別ゲートドライバ（２）５０ｂであると定める（ステップＳ２２２）。つまり、個別ゲートドライバ５０の個数が３なので、演算値が２となるのは、個別ゲートドライバ（１）５０ａ及び個別ゲートドライバ（３）５０ｃが、書換領域を含む場合だけだからである。
【００９７】
次に、パラメータＮの値がＭより大きいか否か判断する（ステップＳ２２４）。この判断で、もし、パラメータＮの値がＭより大きい（ＹＥＳ）と判別したときには、順走査方向で走査を行なう場合と判断して、１番目に走査を開始するのが個別ゲートドライバ（１）５０ａであり、３番目に走査を開始するのが個別ゲートドライバ（３）５０ｃであると定め（ステップ２２６）、ステップＳ２４０に進む。
ステップＳ２２４の判断で、もし、パラメータＮの値がＭの値以下である（ＮＯ）と判別したときには、逆走査方向で走査を行なう場合と判断して、１番目に走査を開始するのが個別ゲートドライバ（３）５０ｃであり、３番目に走査を開始するのが個別ゲートドライバ（１）５０ａであると定め（ステップ２２８）、ステップＳ２４０に進む。
【００９８】
ステップＳ２２０の判断に戻り、もし、パラメータＹからパラメータＸを引いた値が２ではない（ＮＯ）と判別したときには、次に、パラメータＹからパラメータＸを引いた値が１であるか否か判断する（ステップＳ２３０）。この判断で、もし、パラメータＹからパラメータＸを引いた値が１ではない（ＮＯ）と判別したときには、パラメータＹからパラメータＸを引いた値が０であると判断して、１つの個別ゲートドライバ５０のみで走査を行なうと判断する。そして、１番目に走査を開始するのは、パラメータＸに対応した個別ゲートドライバ（Ｘ）であり、他の個別ゲートドライバ５０は走査を行なわないと定め（ステップＳ２３２）、ステップＳ２４０へ進む。
ステップＳ２３０の判断で、もし、パラメータＹからパラメータＸを引いた値が１である（ＹＥＳ）と判別したときには、次に、パラメータＮの値がＭより大きいか否か判断する（ステップＳ２３４）。ここで、パラメータＹからパラメータＸを引いた値が１の場合には、２つの個別ゲートドライバ５０で走査を行なう場合である。つまり、Ｘ＝１でＹ＝２の場合と、Ｘ＝２でＹ＝３の場合である。
ステップＳ２３４の判断で、もし、パラメータＮの値がＭより大きい（ＹＥＳ）と判別したときには、順走査方向で走査を行なう場合と判断して、１番目に走査を開始するのが、パラメータＸに対応した個別ゲートドライバ（Ｘ）であり、２番目に走査を開始するのが、パラメータＹに対応した個別ゲートドライバ（Ｙ）であり、３番目に走査を開始する個別ゲートドライバ５０はないと定めて（ステップ２３６）、ステップＳ２４０に進む。
【００９９】
ステップＳ２３４の判断で、もし、パラメータＮの値がＭの値以下である（ＮＯ）と判別したときには、逆走査方向で走査を行なう場合と判断して、１番目に走査を開始するのが、パラメータＹに対応した個別ゲートドライバ（Ｙ）であり、２番目に走査を開始するのが、パラメータＸに対応した個別ゲートドライバ（Ｘ）であり、３番目に走査を開始する個別ゲートドライバ５０はないと定めて（ステップ２３８）、ステップＳ２４０に進む。
そして、ステップＳ２４０では、上記の制御処理で定めた走査を開始する順番と、各個別ゲートドライバ５０における走査ゲートライン数とに基づいて、各個別ゲートドライバ５０が走査を開始するカウント値を定め（ステップＳ２４０）、本サブルーチンを終了する。
【０１００】
［メインルーチンの説明（続き）］
再び、図８のメインルーチンの説明に戻り、ステップＳ１５６の開始カウント信号制御処理サブルーチンに引き続いて、クロック周波数ｆの値として、下式の演算値をインプットする（ステップＳ１５８）。
クロック周波数ｆ  ＝  Ｆ  ×  ［Ｓ／（全ゲートライン数）］
ここで、Ｆは、表示パネル４の全ての領域を書き換えた場合のクロック周波数とする。
【０１０１】
カスケード接続においても、この演算により、書換領域が少ない場合であっても、走査を完了する時間として、全ての領域を書き換える場合と同じ時間を確保することができるので、帯電粒子を確実に移動させることが可能であり、確実な書き換えを行なうことができる。
そして、ステップＳ１５８に引き続いて、電源制御処理サブルーチンを行なう（ステップＳ１６０）。この電源制御処理サブルーチンについては、既に説明を行なった図１０のフローチャートと同一なので、更なる説明は省略する。
ステップＳ１６０の電源制御サブルーチンに引き続いて、電源がオンになっている個別ゲートドライバ（図６では、個別ゲートドライバ（１〜２）５０ａ〜ｂ）に対して、方向信号出力手段５６により、方向信号制御サブルーチン（図１４参照）で定めた方向信号を出力し、カウント信号出力手段６４により、開始カウント信号制御サブルーチン（図１５参照）で定めた開始カウント信号を、個別ゲートドライバ５０のカウント信号入力手段８２へ出力する（ステップＳ１６２）。次に、電源がオンになっている個別ゲートドライバ（図６では、個別ゲートドライバ（１〜２）５０ａ〜ｂ）に対して、オン電圧信号出力手段６６からオン電圧信号を出力し、オフ電圧信号出力手段６８からオフ電圧信号を出力する（ステップＳ１６４）。
【０１０２】
次に、周期決定手段により、ステップＳ１５８で演算したクロック周波数ｆに基づくクロック信号を、電源がオンになっている個別ゲートドライバ（図６では、個別ゲートドライバ（１〜２）５０ａ〜ｂ）に出力する（ステップＳ１６６）。そして、開始信号出力手段６０により、電源がオンになっている個別ゲートドライバ（図６では、個別ゲートドライバ（１〜２）５０ａ〜ｂ）に開始信号を出力する（ステップＳ１６８）。
これにより、開始信号を受信した個別ゲートドライバ（図６では、個別ゲートドライバ（１〜２）５０ａ〜ｂ）に備えられたカウンタ８０がカウントアップを開始する。そして、最初に走査を開始する個別ゲートドライバ（図６では、個別ゲートドライバ（１）５０ａ）のカウンタ８０のカウント値が、カウント信号出力手段６４から受信した開始カウント信号１に基づく開始カウント値（例えば、カウント値＝１）に達したときに、一端のゲート線４０（図６では、ゲートライン＃１）から、方向信号出力手段５６から受信した方向信号に基づいた方向に走査を開始する。そして、他端のゲート線４０（図６では、ゲートライン＃１０）の走査が終了すると、次に２番目に走査を開始する個別ゲートドライバ５０（図６では、個別ゲートドライバ（２）５０ｂ）のカウンタ８０のカウント値が、カウント信号出力手段６４から受信した開始カウント信号２に基づく開始カウント値に達して、一端（図６では、ゲートライン＃１）から走査を開始する。以上のような制御処理を、最後に走査を開始する個別ゲートドライバまで繰り返すことにより、ゲート線４０の走査を行なうことができる。
【０１０３】
そして、開始信号を出力後、コントローラ部１０のクロック立ち上がり数が、方向信号制御サブルーチン（図１４参照）で算出された走査ゲートライン数Ｓに達したとき、リセット信号出力手段６８により、リセット（ＲＳＴ）信号が電源がオンになっている個別ゲートドライバ（図６では、個別ゲートドライバ（１〜２）５０ａ〜ｂ）に出力して（ステップＳ１７０）、ステップＳ１７２へ進む。これにより、個別ゲートドライバ５０による走査が停止する。
次に、表示の書き換えのための走査が全て終了したか否か判断する（ステップＳ１７２）。なお、カスケード接続の場合でも、表示の書き換えにおいては、書換領域のゲート線４０の走査は、ソース電圧を変えて繰り返し行われるので、本判断処理を行なう。
【０１０４】
ステップＳ１７２の判断で、もし、表示の書き換えのための走査が全て終了してはいない（ＮＯ）と判別したときには、ステップＳ１６８に戻り、ステップＳ１６８からステップＳ１７２までの制御処理を繰り返して、書換領域のゲート線４０の走査を繰り返す。ステップＳ１７２の判断で、もし、表示の書き換えのための走査が全て終了した（ＹＥＳ）と判別したときには、次に、全出力を停止し（ステップＳ１７４）、全てのスイッチ（例えば、図６では、個別電源スイッチ（１）５２ａ、個別電源スイッチ（２）５２ｂ）をオフの状態にして（ステップＳ１７６）、メインルーチンを終了する。以上によって、一連の表示書換制御を終了する。
なお、開始カウント値は、図１５のフローチャートに示す手順で得定める場合に限られず、例えば、後述する図１７の位置、カウンタ信号制御処理サブルーチンに示す手順で定めることもできる。
【０１０５】
＜カスケード接続の第２の実施形態の説明＞
次に、複数の個別ゲートドライバがカスケード接続された場合の第２の実施形態の説明を、図７のブロック図及び図１６〜図１７のフローチャートを用いて行なう。
この第２の実施形態では、カスケード接続された各個別ゲートドライバ５０が、ゲート線４０毎にゲート線スイッチ８４を備えており、書換領域に応じて個々のゲート線スイッチ８４のオン・オフを変更することができる。従って、カスケード接続の第１の実施形態では、走査を開始する個別ゲートドライバ５０において、書換領域が存在するか否かに係わらず、常に一端のゲート線４０（ゲートライン＃１または＃１０）から走査を開始する必要があったが、本実施形態では、書換領域のゲート線４０のゲート線スイッチ８４のみをオンにすることによって、書換領域のゲート線４０のみを走査することができる。
【０１０６】
＜＜ブロック図の説明＞＞
次に、図７のブロック図を用いて、複数の個別ゲートドライバがカスケード接続された場合の第２の実施形態の基本構成を説明する。ここでは、図６に示すカスケード接続の第１の実施形態と異なる点のみ説明する。
上述のように、個別ゲートドライバ（１）５０ａ〜個別ゲートドライバ（３）５０ｃには、各々のゲート線４０（ゲートライン＃１〜＃１０）毎にゲート線スイッチ８４が設けられている。これに対応して、コントローラ部１０には、各個別ゲートドライバにおける書換領域のゲート線４０のゲート線スイッチ８４をオンにするための位置信号を、各個別ゲートドライバ５０に出力する位置信号出力手段７０が備えられる。また、カウント信号出力手段６４から各個別ゲートドライバ５０に出力される信号には、各個別ゲートドライバ５０が走査を開始する開始カウント値の情報を含む開始カウント信号と、各個別ゲートドライバ５０が走査を終了する終了カウント値の情報を含む終了カウント信号がある。
【０１０７】
一方、順走査方向または逆走査方向で、走査ゲートライン数が変わらないので、方向信号を出力する必要はなく、本実施形態では方向信号出力手段５６が備えられていない。また、同様に個別ゲートドライバにパルス電圧の印加を停止させるためのリセット信号を出力する必要もないので、本実施形態ではリセット信号出力手段５８が備えられていない。
その他の点においては、図６に示すカスケード接続された場合の第１の実施形態と同様である。
【０１０８】
＜＜表示の書換制御の概要の説明＞＞
以上のような基本構成を有する制御装置６における表示の書換制御の概要を、次に説明する。コントローラ部１０がホスト制御部８から表示書替依頼信号を受信したとき、全電源がオフになった表示の保持状態から、表示の書換制御を開始する。
図７では、個別ゲートドライバ（１〜２）５０ａ〜ｂにだけ書換領域が含まれているので、個別電源スイッチ制御手段５４から、個別電源スイッチ（１〜２）５２ａ〜ｂにスイッチオンの電源信号が出力され、これにより、個別電源スイッチ５２（１〜２）ａ〜ｂのみがスイッチオンの状態になる。そして、電力線８８を介して電源電圧が出力されて、個別ゲートドライバ（１〜２）５０ａ〜ｂの電源がオンになる。一方、書換領域を含まない個別ゲートドライバ（３）５０ｃについては、個別電源スイッチ（３）５２ｃにスイッチオフの電源信号を出力、または電源信号を出力しないことによって、スイッチオフを継続し、個別ゲートドライバ（３）５０ｃの電源はオフのまま維持される。
【０１０９】
次に、電源がオンになっている個別ゲートドライバ（１〜２）５０ａ〜ｂに対して、カウント信号出力手段６４から走査を開始する開始カウント値の情報を含む開始カウント信号１、２及び走査を終了する終了カウント値の情報を含む終了カウント信号１、２を出力し、位置信号出力手段７０から書換領域のゲート線のゲート線スイッチ８４をオンにするための位置信号１、２を出力し、オン電圧信号出力手段６６からオン電圧信号を出力し、オフ電圧信号出力手段６８からオフ電圧信号を出力し、更に、周期決定手段６２からクロック信号を出力する。
【０１１０】
次に、開始信号出力手段６０から、電源がオンになっている個別ゲートドライバ（１〜２）５０ａ〜ｂに、開始信号を出力する。そして、開始信号を受信した個別ゲートドライバ（１〜２）５０ａ〜ｂに備えられたカウンタ８０がカウントアップを開始する。そして、始めに走査を開始する個別ゲートドライバ（１）５０ａのカウンタ８０のカウント値が、受信した開始カウント信号１に基づく開始カウント値（例えば、カウント値＝１）に達したとき、ゲート線スイッチ８４がオンとなったゲートライン＃５から走査を開始し、ゲートライン＃１０の走査を終了したとき、受信した終了カウント信号１に基づく終了カウント値に達して、走査を終了する。次に、２番目に走査を開始する個別ゲートドライバ（２）５０ｂのカウンタ８０のカウント値が、受信した開始カウント信号２に基づく開始カウント値に達し、ゲート線スイッチ８４がオンとなったゲートライン＃１から走査を開始し、ゲートライン＃５の走査を終了したとき、カウンタ値が受信した終了カウント信号２に基づく終了カウント値に達して、走査を終了する。
なお、上述と同様に、個別ゲートドライバ５０から発信されるパルス電圧の電圧値は、オン電圧信号出力手段６６から受信したオン電圧信号、及びオフ電圧信号出力手段６８から受信したオフ電圧信号に基づいて定められる。また、周期決定手段６２から受信したクロック信号に対応した周期で、個別ゲートドライバ５０からパルス電圧が発信される。
【０１１１】
＜＜フローチャートの説明＞＞
次に、図１６〜図１７に示すフローチャートを用いて、上述の制御手段を備えた表示コントローラ部１０における表示の書換制御について更に詳細に説明する。
［メインルーチンの説明］
図１６に示すメインルーチンは、ホスト制御部８から表示書換依頼信号を受信すると開始される。コントローラ部１０は、メインルーチンを開始すると、先ず、ホスト制御部８から書換領域データを受信する（ステップＳ２５２）。この書換領域データに基づいて、書換領域に含まれるゲート線４０と、書換領域に含まれないゲート線４０とを識別することができる。次に、位置、カウント信号制御処理サブルーチンを行なう（ステップＳ２５４）。
【０１１２】
［位置、カウント信号制御処理サブルーチンの説明］
次に、図１７のフローチャートを用いて、ステップＳ２５４に示す位置、位置、カウント信号制御処理サブルーチンの説明を行なう。まず、ホスト制御部８から受信した書換領域データに基づいて、個別ゲートドライバ５０毎に、書換領域の全てのゲート線４０のゲート線スイッチ８４をオンにする情報を含む位置信号１〜３を作成する（ステップＳ２８０）。ここで、位置信号１は、個別ゲートドライバ（１）５０ａ用の位置信号であり、位置信号２は、個別ゲートドライバ（２）５０ｂ用の位置信号であり、位置信号３は、個別ゲートドライバ（３）５０ｃ用の位置信号である。
【０１１３】
次に、パラメータＳ１の値として、個別ゲートドライバ（１）５０ａにおける走査ゲートライン数をインプットし（ステップＳ２８２）、パラメータＳ２の値として、個別ゲートドライバ（２）５０ｂにおける走査ゲートライン数をインプットし（ステップＳ２８４）パラメータＳ３の値として、個別ゲートドライバ（３）５０ｃにおける走査ゲートライン数をインプットする（ステップＳ２８６）。
次に、個別ゲートドライバ（１）５０ａにおける開始カウント値（１）として１をインプットし、個別ゲートドライバ（１）５０ａにおける終了カウント値（１）としてＳ１の値をインプットする（ステップＳ２８８）。同様に、個別ゲートドライバ（２）５０ｂにおける開始カウント値（２）としてＳ１＋１の値をインプットし、個別ゲートドライバ（２）５０ｂにおける終了カウント値（２）としてＳ１＋Ｓ２の値をインプットする（ステップＳ２９０）。同様に、個別ゲートドライバ（３）５０ｃにおける開始カウント値（３）としてＳ１＋Ｓ２＋１の値をインプットし、個別ゲートドライバ（３）５０ｃにおける終了カウント値（３）としてＳ１＋Ｓ２＋Ｓ３の値をインプットして（ステップＳ２９２）、本サブルーチンを終了する。
【０１１４】
［メインルーチンの説明（続き）］
再び、図１６のメインルーチンの説明に戻り、ステップＳ２５４の位置、カウンタ信号制御処理サブルーチンに引き続いて、周期決定手段６２によって、クロック周波数ｆの値として、下式の演算値をインプットする（ステップＳ２５６）。
クロック周波数ｆ  ＝  Ｆ  ×  ［Ｓ／（全ゲートライン数）］
ここで、Ｆは、表示パネル４の全ての領域を書き換えた場合のクロック周波数とする。
そして、ステップＳ２５６に引き続いて、電源制御処理サブルーチンを行なう（ステップＳ２５８）。この電源制御処理サブルーチンについては、既に説明を行なった図１０のフローチャートと同一なので、更なる説明は省略する。
【０１１５】
ステップＳ２５８の電源制御サブルーチンに引き続いて、電源がオンになった個別ゲートドライバ（図７では、ゲートドライバ（１〜２）５０ａ〜ｂ）に対して、位置信号出力手段７０により、位置、カウント信号制御サブルーチン（図１７参照）で作成した位置信号（図７では、位置信号１、２）を出力し、カウント信号出力手段６４により、位置、カウント信号制御サブルーチン（図１７参照）で定めた開始カウント値の情報を含む開始カウント信号（図７では、開始カウント信号１、２）及び終了カウント値の情報を含む終了カウント信号（図７では、終了カウント信号１、２）を出力する（ステップＳ２６０）。次に、電源がオンになっている個別ゲートドライバ（図５では、個別ゲートドライバ（１〜２）５０ａ〜ｂ）に対して、オン電圧信号出力手段６６からオン電圧信号を出力し、オフ電圧信号出力手段６８からオフ電圧信号を出力する（ステップＳ２６２）。
【０１１６】
次に、周期決定手段６２によって、ステップＳ２５６で演算したクロック周波数ｆに基づくクロック信号を、電源がオンになっている個別ゲートドライバ（図７では、個別ゲートドライバ（１〜２）５０ａ〜ｂ）に出力する（ステップＳ２６４）。そして、開始信号出力手段６０により、電源がオンになっている個別ゲートドライバ（図７では、個別ゲートドライバ（１〜２）５０ａ〜ｂ）に開始信号を出力する（ステップＳ２６６）。
これにより、開始信号を受信した個別ゲートドライバ（図７では、個別ゲートドライバ（１〜２）５０ａ〜ｂ）に備えられたカウンタ８０がカウントアップを開始する。そして、１番目に走査を開始する個別ゲートドライバ（図７では、個別ゲートドライバ（１）５０ａ）のカウンタ８０のカウント値が、受信した開始カウント信号（図７では、開始カウント信号１）に基づく開始カウント値（カウント値＝１）に達したとき、ゲート線スイッチ８４がオンとなった端のゲート線４０（図７では、ゲートライン＃５）から走査を開始し、ゲート線スイッチ８４がオンとなったもう一端のゲート線４０（図７では、ゲートライン＃１０）の走査を終了したとき、カウンタ８０のカウンタ値が、受信した終了カウント信号（図７では、終了カウント信号１）に基づく終了カウント値（図７では、カウンタ値＝Ｓ１）に達して、走査を終了する。
【０１１７】
次に、２番目に走査を行なう個別ゲートドライバ（図７では、個別ゲートドライバ（２）５０ｂ）のカウンタ８０のカウント値が、受信した開始カウント信号（図７では、開始カウント信号２）に基づく開始カウント値（図７では、カウント値＝Ｓ１＋１）に達し、ゲート線スイッチ８４がオンとなった端のゲート線４０（図７では、ゲートライン＃１）から走査を開始する。以上のような制御処理を、最後に走査を開始する個別ゲートドライバまで繰り返すことにより、ゲート線４０の走査を行なうことができる。そして、最後に走査を開始する個別ゲートドライバ（図７では、個別ゲートドライバ（２）５０ｂ）の書換領域の端のゲート線４０（図７では、ゲートライン＃５）の走査を終了したとき、カウンタ８０のカウンタ値が受信した終了カウント信号（図７では、終了カウント信号２）に基づく終了カウント値（図７では、カウント値＝Ｓ１＋Ｓ２）に達して、走査を終了する。
【０１１８】
次に、ゲート線スイッチ８４がオンになった全てのゲート線４０の走査（１走査）が終了したか否か判断する（ステップＳ２６８）。この判断で、もし、まだ１走査が終了していない（ＮＯ）と判別したときには、上述の走査が終了するまで、この判断処理を繰り返す。ステップＳ２６８の判断で、もし、１走査が終了した（ＹＥＳ）と判別したときには、次に、表示の書き換えのための走査が全て終了したか否か判断する（ステップＳ２７０）。
【０１１９】
ステップＳ２７０の判断で、もし、表示の書き換えのための走査が全て終了してはいない（ＮＯ）と判別したときには、ステップＳ２６６に戻り、ステップＳ２６６からステップＳ２７０までの制御処理を繰り返して、書換領域のゲート線４０の走査を繰り返す。ステップＳ２７０の判断で、もし、表示の書き換えのための走査が全て終了した（ＹＥＳ）と判別したときには、次に、全出力を停止し（ステップＳ２７２）、全てのスイッチ（例えば、図７では、個別電源スイッチ（１）５２ａ、個別電源スイッチ（２）５２ｂ、ゲート線スイッチ８４）をオフの状態にして（ステップＳ２７４）、メインルーチンを終了する。以上によって、一連の表示書換制御を終了する。
【０１２０】
（本発明に係る表示パネルの制御装置のその他の実施形態の説明）
上述の実施形態では、書換領域のゲート線４０の走査を繰り返し行なう場合において、書換領域の全てのゲート線の走査が終了した後、次の走査の開始信号が出力されているが、これに限られるものではなく、１回の走査が終了する前に、次の開始信号を出力して、次の走査を開始することもできる。例えば、デイジーチェーン接続の第１の実施形態またはカスケード接続の第１の実施形態であれば、リセット信号を出力する前に、次の開始信号を出力することもできる。
【０１２１】
また、上述の実施形態では、書換領域を含まない全ての個別ゲートドライバの電源がオフにされているが、常に全ての個別ゲートドライバの電源をオフにする必要はなく、書換領域を含まない個別ゲートドライバうち、一部の個別ゲートドライバの電源をオフにすることもできる。
また、上述の実施形態においては、ゲートドライバが複数の個別ゲートドライバから構成される場合を示しているが、これに限られるものではなく、ソースドライバについても、同様にソースドライバが複数の個別ソースドライバから構成されるようにすることができる。なお、ソースドライバに関する実施形態については、ゲートドライバの場合とほぼ同様の構成となるので、更に詳細な説明は省略する。
本発明に係る表示パネルの制御装置は、上述の実施形態に限られるものではなく、その他の様々な実施形態が本発明に含まれる。
【図面の簡単な説明】
【０１２２】
【図１】表示パネルを模式的に表した側面断面図であり、
【図２】電気泳動表示装置の電気的構成を示すブロック図である。
【図３】表示パネルの表示例を示す図であって、図１に示す表示パネルを表示パネル側。
【図４】デイジーチェーン接続の場合の第１の実施形態の基本構成を示すブロック図である。
【図５】デイジーチェーン接続の場合の第２の実施形態の基本構成を示すブロック図である。
【図６】カスケード接続の場合の第１の実施形態の基本構成を示すブロック図である。
【図７】カスケード接続の場合の第２の実施形態の基本構成を示すブロック図である。
【図８】デイジーチェーン接続の場合の第１の実施形態の制御処理におけるメインルーチンを示すフローチャートである。
【図９】デイジーチェーン接続の場合の第１の実施形態の制御処理における方向、開始信号制御処理サブルーチンを示すフローチャートである。
【図１０】デイジーチェーン接続の場合の第１の実施形態の制御処理における電源制御処理サブルーチンを示すフローチャートである。
【図１１】デイジーチェーン接続の場合の第２の実施形態の制御処理におけるメインルーチンを示すフローチャートである。
【図１２】デイジーチェーン接続の場合の第２の実施形態の制御処理における位置、開始信号制御処理サブルーチンを示すフローチャートである。
【図１３】カスケード接続の場合の第１の実施形態の制御処理におけるメインルーチンを示すフローチャートである。
【図１４】カスケード接続の場合の第１の実施形態の制御処理における方向信号制御サブルーチンを示すフローチャートである。
【図１５】カスケード接続の場合の第１の実施形態の制御処理における開始カウント信号制御サブルーチンを示すフローチャートである。
【図１６】カスケード接続の場合の第２の実施形態の制御処理におけるメインルーチンを示すフローチャートである。
【図１７】カスケード接続の場合の第２の実施形態の制御処理における位置、カウント信号制御サブルーチンを示すフローチャートである。
【符号の説明】
【０１２３】
２    電気泳動表示装置
４    表示パネル
６    制御装置
８    ホスト制御部
１０  コントローラ部
１２  ゲートパルス印加手段（ゲートドライバ）
１４  ソースパルス印加手段（ソースドライバ）
２０  表示基板
２２  背面基板
２４  共通電極
２６  画素電極
２８  黒色帯電粒子
３０  白色帯電粒子
３２  分散媒
４０  ゲート線
４２  ソース線
４４  ＴＦＴ
５０  個別ゲートパルス印加手段（個別ゲートドライバ）
５０ａ〜ｃ  個別ゲートドライバ（１）〜個別ゲートドライバ（３）
５２  個別電源スイッチ
５２ａ〜ｃ  個別電源スイッチ（１）〜個別電源スイッチ（３）
５４  個別電源スイッチ制御手段
５６  方向信号出力手段
５８  リセット信号出力手段
６０  開始信号出力手段
６２  周期決定手段
６４  カウント信号出力手段
６６  オン電圧信号出力手段
６８  オフ電圧信号出力手段
７０  位置信号出力手段
８０  カウンタ
８２  カウント信号入力手段
８４  ゲート線スイッチ
８６ａ〜ｃ  開始スイッチ（１）〜スイッチ（３）
８８  電力供給線
９０  接続線
【図１】
2008197491.tif 000003
【図２】
2008197491.tif 000004
【図３】
2008197491.tif 000005
【図４】
2008197491.tif 000006
【図５】
2008197491.tif 000007
【図６】
2008197491.tif 000008
【図７】
2008197491.tif 000009
【図８】
2008197491.tif 000010
【図９】
2008197491.tif 000011
【図１０】
2008197491.tif 000012
【図１１】
2008197491.tif 000013
【図１２】
2008197491.tif 000014
【図１３】
2008197491.tif 000015
【図１４】
2008197491.tif 000016
【図１５】
2008197491.tif 000017
【図１６】
2008197491.tif 000018
【図１７】
2008197491.tif 000019